(57)【要約】  本発明の実施形態は、データ送信方法及び装置を提供する。方法は、基地局が、少なくとも１つのＣＣＡ検出閾値を取得するステップと、少なくとも１つのＣＣＡ検出閾値から現在のＣＣＡ検出閾値を決定するステップと、現在のＣＣＡ検出閾値に基づいて、送信すべきデータの送信電力を決定するステップと、送信電力に基づいて、送信すべきデータをターゲット端末に送信するステップとを含む。このように、ＣＣＡ検出閾値を柔軟に選択し、送信電力を適応して調整し、空間分割多重化の確率及びスペクトル利用効率を改善することにより、システム容量を増大させ、システム同士の間の干渉を回避する。
2020500479.tif 000002
【特許請求の範囲】
【請求項１】
データ送信方法であって、当該方法は、
基地局が、少なくとも１つのクリアチャネル評価（ＣＣＡ）検出閾値を取得するステップであって、各ＣＣＡ検出閾値は、少なくとも１つの被スケジュール端末に対応する、取得するステップと、
前記基地局が、前記少なくとも１つのＣＣＡ検出閾値から現在のＣＣＡ検出閾値を決定するステップと、
前記基地局が、前記現在のＣＣＡ検出閾値に基づいて、送信すべきデータの送信電力を決定するステップと、
前記基地局が、前記送信電力に基づいて、前記送信すべきデータをターゲット端末に送信するステップであって、該ターゲット端末は、前記少なくとも１つの被スケジュール端末のうちの１つである、送信するステップと、を含む、
方法。
【請求項２】
前記基地局が、前記少なくとも１つのＣＣＡ検出閾値から現在のＣＣＡ検出閾値を決定するステップは、
前記基地局が、過去の統計量又はスループット予測又はその両方に基づいて、第１のＣＣＡ検出閾値を用いてＣＣＡ検出を行うステップと、該ＣＣＡ検出が成功した後に、前記第１のＣＣＡ検出閾値を前記現在のＣＣＡ検出閾値として決定するステップとを含み、前記第１のＣＣＡ検出閾値は、第１の端末に対応するＣＣＡ検出閾値であり、前記第１の端末は、前記少なくとも１つの被スケジュール端末のうちの１つである、又は
前記基地局が、第１のＣＣＡ検出閾値を用いてＣＣＡ検出を行うステップと、該ＣＣＡ検出が成功した後に、前記第１のＣＣＡ検出閾値を前記現在のＣＣＡ検出閾値として決定するステップとを含み、前記第１のＣＣＡ検出閾値は、第１の端末に対応するＣＣＡ検出閾値であり、前記第１の端末は、前記少なくとも１つの被スケジュール端末の中で優先順位が最も高い端末である、又は
前記基地局が、第１のＣＣＡ検出閾値を用いてＣＣＡ検出を行うステップと、該ＣＣＡ検出が成功した後に、前記第１のＣＣＡ検出閾値を前記現在のＣＣＡ検出閾値として決定するステップとを含み、前記第１のＣＣＡ検出閾値は、第１の端末に対応するＣＣＡ検出閾値であり、前記第１の端末は第１の端末グループに属しており、前記第１の端末に対応する前記ＣＣＡ検出閾値は、前記第１の端末グループのＣＣＡ検出閾値範囲内にある、請求項１に記載の方法。
【請求項３】
前記基地局が、前記少なくとも１つのＣＣＡ検出閾値から現在のＣＣＡ検出閾値を決定するステップは、
前記基地局が、ＣＣＡ検出を行うために、前記少なくとも１つの被スケジュール端末の優先順位に基づいて、前記少なくとも１つのＣＣＡ検出閾値から複数の検討対象のＣＣＡ検出閾値を決定するステップと、前記基地局が、前記複数の検討対象のＣＣＡ検出閾値の中で閾値が最も小さい検討対象のＣＣＡ検出閾値を用いて検出を行うことに成功した場合に、前記基地局が、閾値が最も小さい前記検討対象のＣＣＡ検出閾値を前記現在のＣＣＡ検出閾値として決定するステップ、又は
前記基地局が、閾値が最も小さい検討対象のＣＣＡ検出閾値を用いて検出を行うことに失敗し、且つ前記基地局が、閾値が最も小さい前記検討対象のＣＣＡ検出閾値に対応するＮ値がゼロまで減少するのを待つことを決定する場合に、前記基地局が、閾値が最も小さい前記検討対象のＣＣＡ検出閾値を前記現在のＣＣＡ検出閾値として決定するステップ、又は
前記基地局が、閾値が最も小さい検討対象のＣＣＡ検出閾値を用いて検出を行うことに失敗した場合に、前記基地局が、他の検討対象のＣＣＡ検出閾値から、ＣＣＡ検出に成功した検討対象のＣＣＡ検出閾値を前記現在のＣＣＡ検出閾値として決定するステップ、を含む、請求項１に記載の方法。
【請求項４】
基地局が、少なくとも１つのＣＣＡ検出閾値を取得するステップは、
前記基地局が、前記少なくとも１つの被スケジュール端末の変調及び符号化方式（ＭＣＳ）に基づいて、前記少なくとも１つのクリアチャネル評価（ＣＣＡ）検出閾値を取得するステップを含む、請求項１乃至３のいずれか一項に記載の方法。
【請求項５】
前記基地局が、前記少なくとも１つの被スケジュール端末の変調及び符号化方式（ＭＣＳ）に基づいて、前記少なくとも１つのクリアチャネル評価（ＣＣＡ）検出閾値を取得するステップは、
前記基地局が、予め設定された第１の調整ステップ、前記少なくとも１つの被スケジュール端末の前記ＭＣＳ、システム内の最大ＭＣＳ値、及び前記システムに対応するＣＣＡ検出閾値に基づいて、第１のＣＣＡ検出閾値を取得するステップと、
前記基地局が、前記第１のＣＣＡ検出閾値と、前記システムによって許容される最小ＣＣＡ検出閾値及び最大ＣＣＡ検出閾値とに基づいて、前記少なくとも１つのＣＣＡ検出閾値を取得するステップと、を含み、
前記少なくとも１つの被スケジュール端末における各被スケジュール端末のＭＣＳは、チャネル品質指標（ＣＱＩ）を用いて前記基地局によって調整された後の前記被スケジュール端末のＭＣＳ値、又は予め設定された統計学的期間内にエア・インターフェース上で前記被スケジュール端末をスケジューリングするために使用される平均ＭＣＳ値である、請求項４に記載の方法。
【請求項６】
基地局が、少なくとも１つのクリアチャネル評価（ＣＣＡ）検出閾値を取得するステップは、
前記基地局が、前記少なくとも１つの被スケジュール端末により報告される受信信号強度指標（ＲＳＳＩ）を受信するステップと、
前記基地局が、前記ＲＳＳＩに基づいて、各被スケジュール端末のＣＣＡ検出閾値を決定するステップと、を含む、請求項１乃至３のいずれか一項に記載の方法。
【請求項７】
前記基地局が、前記ＲＳＳＩに基づいて、各被スケジュール端末のＣＣＡ検出閾値を決定するステップは、
前記基地局が、前記ＲＳＳＩと基地局側制御値との間の差を計算して第２のＣＣＡ検出閾値を取得するステップと、
前記基地局が、前記第２のＣＣＡ検出閾値と、システムによって許容される最小ＣＣＡ検出閾値及び最大ＣＣＡ検出閾値とに基づいて、前記ＲＳＳＩを報告する被スケジュール端末のＣＣＡ検出閾値を決定するステップと、を含む、請求項６に記載の方法。
【請求項８】
前記基地局が、少なくとも１つのクリアチャネル評価（ＣＣＡ）検出閾値を取得するステップは、
前記基地局が、前記少なくとも１つの被スケジュール端末により報告される信号品質指標（ＣＱＩ）情報を受信するステップと、
前記基地局が、前記ＣＱＩ情報に基づいて、該ＣＱＩ情報を報告する被スケジュール端末のＣＣＡ検出閾値を決定するステップと、を含む、請求項１乃至３のいずれか一項に記載の方法。
【請求項９】
前記基地局が、前記ＣＱＩ情報に基づいて、該ＣＱＩ情報を報告する被スケジュール端末のＣＣＡ検出閾値を決定するステップは、
前記基地局が、予め設定された第２の調整ステップ、前記ＣＱＩ情報、システム内の最大ＣＱＩ値、及び前記システムに対応するＣＣＡ検出閾値に基づいて、第３のＣＣＡ検出閾値を取得するステップと、
前記基地局が、前記第３のＣＣＡ検出閾値と、前記システムによって許容される最小ＣＣＡ検出閾値及び最大ＣＣＡ検出閾値とに基づいて、前記ＣＱＩ情報を報告する前記被スケジュール端末の前記ＣＣＡ検出閾値を決定するステップと、を含む、請求項８に記載の方法。
【請求項１０】
基地局が、少なくとも１つのクリアチャネル評価（ＣＣＡ）検出閾値を取得するステップの前に、当該方法は、
前記基地局が、前記少なくとも１つの被スケジュール端末により送信されるＣＣＡ検出閾値又はＣＣＡ検出閾値レベルを受信するステップであって、前記ＣＣＡ検出閾値は、前記被スケジュール端末によって、第４のＣＣＡ検出閾値と、システムによって許容される最小ＣＣＡ検出閾値及び最大ＣＣＡ検出閾値とに基づいて決定される、受信するステップをさらに含み、
前記第４のＣＣＡ検出閾値は、前記被スケジュール端末によって、信号対干渉プラス雑音比、前記被スケジュール端末に対応する最小の信号対干渉プラス雑音比、及び基地局側制御値に基づいて計算される、又は、前記第４のＣＣＡ検出閾値は、前記被スケジュール端末によって、基準信号測定によって得られる信号強度指標値、雑音電力値、前記被スケジュール端末に対応する最小の信号対干渉プラス雑音比、及び基地局側制御値に基づいて計算される、請求項１乃至３のいずれか一項に記載の方法。
【請求項１１】
メモリ及びプロセッサを含むデータ送信装置であって、前記メモリはプログラム命令を記憶するように構成され、前記プロセッサは、前記メモリ内の前記プログラム命令を呼び出して、以下の方法：
少なくとも１つのクリアチャネル評価（ＣＣＡ）検出閾値を取得することであって、各ＣＣＡ検出閾値は少なくとも１つの被スケジュール端末に対応する、取得することと、
前記少なくとも１つのＣＣＡ検出閾値から現在のＣＣＡ検出閾値を決定することと、
該現在のＣＣＡ検出閾値に基づいて、送信すべきデータの送信電力を決定することと、
該送信電力に基づいて、前記送信すべきデータをターゲット端末に送信することであって、前記ターゲット端末は前記少なくとも１つの被スケジュール端末に属する、送信することと、を行うように構成される、
装置。
【請求項１２】
前記プロセッサは、
過去の統計量又はスループット予測又はその両方に基づいて、第１のＣＣＡ検出閾値を用いてＣＣＡ検出を行い、該ＣＣＡ検出が成功した後に、前記第１のＣＣＡ検出閾値を前記現在のＣＣＡ検出閾値として決定し、前記第１のＣＣＡ検出閾値は、第１の端末に対応するＣＣＡ検出閾値であり、前記第１の端末は、前記少なくとも１つの被スケジュール端末のうちの１つである、又は
第１のＣＣＡ検出閾値を用いてＣＣＡ検出を行い、該ＣＣＡ検出が成功した後に、前記第１のＣＣＡ検出閾値を前記現在のＣＣＡ検出閾値として決定し、前記第１のＣＣＡ検出閾値は、第１の端末に対応するＣＣＡ検出閾値であり、前記第１の端末は、前記少なくとも１つの被スケジュール端末の中で優先順位が最も高い端末である、又は
第１のＣＣＡ検出閾値を用いてＣＣＡ検出を行い、該ＣＣＡ検出が成功した後に、前記第１のＣＣＡ検出閾値を前記現在のＣＣＡ検出閾値として決定し、前記第１のＣＣＡ検出閾値は、第１の端末に対応するＣＣＡ検出閾値であり、前記第１の端末は第１の端末グループに属しており、前記第１の端末に対応する前記ＣＣＡ検出閾値は、前記第１の端末グループのＣＣＡ検出閾値範囲内にある、ように特に構成される、請求項１１に記載の装置。
【請求項１３】
前記プロセッサは、
ＣＣＡ検出を行うために、前記少なくとも１つの被スケジュール端末の優先順位に基づいて、前記少なくとも１つのＣＣＡ検出閾値から複数の検討対象のＣＣＡ検出閾値を決定し、該複数の検討対象のＣＣＡ検出閾値の中で閾値が最も小さい検討対象のＣＣＡ検出閾値を用いて行われた検出が成功した場合に、閾値が最も小さい前記検討対象のＣＣＡ検出閾値を前記現在のＣＣＡ検出閾値として決定し、又は
閾値が最も小さい検討対象のＣＣＡ検出閾値を用いて行われた検出が失敗し、且つ閾値が最も小さい前記検討対象のＣＣＡ検出閾値に対応するＮ値がゼロまで減少するのを待つと決定された場合に、閾値が最も小さい前記検討対象のＣＣＡ検出閾値を前記現在のＣＣＡ検出閾値として決定し、又は
閾値が最も小さい検討対象のＣＣＡ検出閾値を用いて行われた検出が失敗した場合に、他の検討対象のＣＣＡ検出閾値から、ＣＣＡ検出に成功した検討対象のＣＣＡ検出閾値を前記現在のＣＣＡ検出閾値として決定する、ように特に構成される、請求項１１に記載の装置。
【請求項１４】
前記プロセッサは、前記少なくとも１つの被スケジュール端末の変調及び符号化方式（ＭＣＳ）に基づいて、前記少なくとも１つのクリアチャネル評価（ＣＣＡ）検出閾値を取得するように特に構成される、請求項１１乃至１３のいずれか一項に記載の装置。
【請求項１５】
前記プロセッサは、
予め設定された第１の調整ステップ、前記少なくとも１つの被スケジュール端末の前記ＭＣＳ、システム内の最大ＭＣＳ値、及び前記システムに対応するＣＣＡ検出閾値に基づいて、第１のＣＣＡ検出閾値を取得し、及び
前記第１のＣＣＡ検出閾値と、前記システムによって許容される最小ＣＣＡ検出閾値及び最大ＣＣＡ検出閾値とに基づいて、前記少なくとも１つのＣＣＡ検出閾値を取得する、ように特に構成され、
前記少なくとも１つの被スケジュール端末における各被スケジュール端末のＭＣＳは、チャネル品質指標（ＣＱＩ）を用いて基地局によって調整された後の前記被スケジュール端末のＭＣＳ値、又は予め設定された統計学的期間内にエア・インターフェース上で前記被スケジュール端末をスケジューリングするために使用される平均ＭＣＳ値である、請求項１４に記載の装置。
【請求項１６】
前記プロセッサは、前記少なくとも１つの被スケジュール端末により報告される受信信号強度指標（ＲＳＳＩ）を受信し、該ＲＳＳＩに基づいて、各被スケジュール端末のＣＣＡ検出閾値を決定する、ように特に構成される、請求項１１乃至１３のいずれかに一項に記載の装置。
【請求項１７】
前記プロセッサは、
前記ＲＳＳＩと基地局側制御値との間の差を計算して第２のＣＣＡ検出閾値を取得し、
該第２のＣＣＡ検出閾値と、システムによって許容される最小ＣＣＡ検出閾値及び最大ＣＣＡ検出閾値とに基づいて、前記ＲＳＳＩを報告する被スケジュール端末のＣＣＡ検出閾値を決定する、ように特に構成される、請求項１６に記載の装置。
【請求項１８】
前記プロセッサは、
前記少なくとも１つの被スケジュール端末により報告されるチャネル品質指標（ＣＱＩ）情報を受信し、
該ＣＱＩ情報に基づいて、前記ＣＱＩ情報を報告する被スケジュール端末のＣＣＡ検出閾値を決定する、ように特に構成される、請求項１１乃至１３のいずれか一項に記載の装置。
【請求項１９】
前記プロセッサは、
予め設定された第２の調整ステップ、前記ＣＱＩ情報、システム内の最大ＣＱＩ値、及び前記システムに対応するＣＣＡ検出閾値に基づいて、第３のＣＣＡ検出閾値を取得し、
該第３のＣＣＡ検出閾値と、前記システムによって許容される最小ＣＣＡ検出閾値及び最大ＣＣＡ検出閾値とに基づいて、前記ＣＱＩ情報を報告する被スケジュール端末のＣＣＡ検出閾値を決定する、ように特に構成される、請求項１８に記載の装置。
【請求項２０】
前記プロセッサは、前記少なくとも１つの被スケジュール端末により送信されるＣＣＡ検出閾値又はＣＣＡ検出閾値レベルを受信するように特に構成され、
前記ＣＣＡ検出閾値は、前記被スケジュール端末によって、第４のＣＣＡ検出閾値と、システムによって許容される最小ＣＣＡ検出閾値及び最大ＣＣＡ検出閾値とに基づいて決定され、
前記第４のＣＣＡ検出閾値は、前記被スケジュール端末によって、信号対干渉プラス雑音比、前記被スケジュール端末に対応する最小の信号対干渉プラス雑音比、及び基地局側制御値に基づいて計算される、又は、前記第４のＣＣＡ検出閾値は、前記被スケジュール端末によって、基準信号測定によって得られる信号強度指標値、雑音電力値、前記被スケジュール端末に対応する最小の信号対干渉プラス雑音比、及び基地局側制御値に基づいて計算される、請求項１１乃至１３のいずれか一項に記載の装置。
【発明の詳細な説明】
【技術分野】
【０００１】
本発明の実施形態は、移動通信技術に関し、具体的には、データ送信方法及び装置に関する。
【背景技術】
【０００２】
スペクトルは移動体通信において希少（rare）で、再生不可能なリソースであり、スペクトルに対する要求は指数関数的に増大している。免許要（licensed）スペクトルの利用効率が上限に達すると、スペクトル不足が、モバイル通信開発を制限するボトルネックになると予測され得る。免許要スペクトルと比較して、免許不要（unlicensed）スペクトルは依然としてかなり利用可能なリソースを有している。従って、免許不要スペクトルをいかに効果的に使用するかが、多数の事業者及び装置供給メーカから注目の的となる。
【０００３】
免許不要スペクトルは政府による許可なしに使用することができるので、ワイファイ（Wireless Fidelity、略してWi-Fi）技術及びライセンス・アシスト・アクセス（Licensed-Assisted Access、略してLAA）技術を含む複数の無線技術が同時に存在する可能性があり、不適切なチャネルリソース割当て及び同一チャネル干渉等の問題が生じる。
【０００４】
複数の無線アクセス技術が共存するという問題をより良く解決するために、ＬＡＡ技術とＷｉ−Ｆｉ技術との両方にＬＢＴ（Listen Before Talk、略してLBT）メカニズムが導入される。クリアチャネル評価（Clear Channel Assessment、略してCCA）検出閾値が、ＬＢＴメカニズムにおける重要なパラメータであり、且つチャネルがビジー又はアイドルであるかを判定するために基地局によって使用される基礎である。基地局によって検出された信号エネルギーがＣＣＡ検出閾値よりも高い場合に、基地局は、チャネルが現在ビジー状態である、すなわちチャネルが利用不可能であると判定する。基地局によって検出された信号エネルギーがＣＣＡ検出閾値よりも低い場合に、基地局は、チャネルが現在アイドル状態である、すなわちチャネルが利用可能であると判定する。システム同士の間の公平性をより確実にするために、ＣＣＡ検出期間はランダム値である。
【０００５】
しかしながら、従来技術では、１つの基地局のデータ送信中に、別の基地局はチャネルが利用不可能であると検出し、データ送信を行うことができない。例えば、基地局１及び基地局２がＣＣＡ検出を行う。基地局１は、最初にチャネルが利用可能であると検出し、次に基地局１はデータの送信を開始する。基地局１のデータ送信段階において、基地局２は、基地局１がデータ送信を終了するまでチャネルが利用できないと検出する。基地局２は、基地局２が基地局１より先にＣＣＡ検出を完了した場合にのみデータ送信を行うことができる。その結果、基地局２のデータ送信が遅延し、免許不要スペクトルの利用効率が低下し、ネットワークスループットが影響を受ける。
【発明の概要】
【０００６】
本発明の実施形態は、システム同士の間の干渉が増大しないようにするのを保証しながら、データ送信遅延を低減するとともに、免許不要スペクトルの利用効率及びネットワークスループットを改善するデータ送信方法及び装置を提供する。
【０００７】
本発明の実施形態の第１の態様は、データ送信方法を提供し、この方法は、
基地局が、少なくとも１つのＣＣＡ検出閾値を取得するステップであって、各ＣＣＡ検出閾値は、少なくとも１つの被スケジュール（to-be-scheduled）端末に対応する、取得するステップと、
基地局が、少なくとも１つのＣＣＡ検出閾値から現在のＣＣＡ検出閾値を決定するステップと、
基地局が、現在のＣＣＡ検出閾値に基づいて、送信すべきデータの送信電力を決定するステップと、
基地局が、送信電力に基づいて、送信すべきデータをターゲット端末に送信するステップであって、ターゲット端末は、少なくとも１つの被スケジュール端末に属する、送信するステップと、を含む。
【０００８】
オプションで、基地局が、少なくとも１つのＣＣＡ検出閾値から現在のＣＣＡ検出閾値を決定するステップは、
基地局が、過去の統計量又はスループット予測又はその両方に基づいて、第１のＣＣＡ検出閾値を用いてＣＣＡ検出を行うステップと、ＣＣＡ検出が成功した後に、第１のＣＣＡ検出閾値を現在のＣＣＡ検出閾値として決定するステップとを含み、第１のＣＣＡ検出閾値は、第１の端末に対応するＣＣＡ検出閾値であり、第１の端末は、少なくとも１つの被スケジュール端末のうちの１つである、又は
基地局が、第１のＣＣＡ検出閾値を用いてＣＣＡ検出を行うステップと、ＣＣＡ検出が成功した後に、第１のＣＣＡ検出閾値を現在のＣＣＡ検出閾値として決定するステップとを含み、第１のＣＣＡ検出閾値は、第１の端末に対応するＣＣＡ検出閾値であり、第１の端末は、少なくとも１つの被スケジュール端末の中で優先順位が最も高い端末である、又は
基地局が、第１のＣＣＡ検出閾値を用いてＣＣＡ検出を行うステップと、ＣＣＡ検出が成功した後に、第１のＣＣＡ検出閾値を現在のＣＣＡ検出閾値として決定するステップとを含み、第１のＣＣＡ検出閾値は、第１の端末に対応するＣＣＡ検出閾値であり、第１の端末は第１の端末グループに属しており、第１の端末に対応するＣＣＡ検出閾値は、第１の端末グループのＣＣＡ検出閾値範囲内にある。
【０００９】
オプションで、基地局が、少なくとも１つのＣＣＡ検出閾値から現在のＣＣＡ検出閾値を決定するステップは、
基地局が、ＣＣＡ検出を行うために、少なくとも１つの被スケジュール端末の優先順位に基づいて、少なくとも１つのＣＣＡ検出閾値から複数の検討対象の（pending）ＣＣＡ検出閾値を決定するステップと、基地局が、複数の検討対象のＣＣＡ検出閾値の中で閾値が最も小さい検討対象のＣＣＡ検出閾値を用いて検出を行うことに成功した場合に、基地局が、閾値が最も小さい検討対象のＣＣＡ検出閾値を現在のＣＣＡ検出閾値として決定するステップ、又は
基地局が、閾値が最も小さい検討対象のＣＣＡ検出閾値を用いて検出を行うことに失敗し、基地局が、閾値が最も小さい検討対象のＣＣＡ検出閾値に対応するＮ値がゼロまで減少するのを待つことを決定する場合に、基地局が、閾値が最も小さい検討対象のＣＣＡ検出閾値を現在のＣＣＡ検出閾値として決定するステップ、又は
基地局が、閾値が最も小さい検討対象のＣＣＡ検出閾値を用いて検出を行うことに失敗した場合に、基地局が、他の検討対象のＣＣＡ検出閾値から、ＣＣＡ検出に成功した検討対象のＣＣＡ検出閾値を現在のＣＣＡ検出閾値として決定するステップ、を含む。
【００１０】
オプションで、基地局が、少なくとも１つのＣＣＡ検出閾値を取得するステップは、
基地局が、少なくとも１つの被スケジュール端末の変調及び符号化方式（ＭＣＳ）に基づいて、少なくとも１つのクリアチャネル評価（ＣＣＡ）検出閾値を取得するステップを含む。
【００１１】
オプションで、基地局が、少なくとも１つの被スケジュール端末のＭＣＳに基づいて、少なくとも１つのクリアチャネル評価（ＣＣＡ）検出閾値を取得するステップは、
基地局が、予め設定された第１の調整ステップ、少なくとも１つの被スケジュール端末のＭＣＳ、システム内の最大ＭＣＳ値、及びシステムに対応するＣＣＡ検出閾値に基づいて、第１のＣＣＡ検出閾値を取得するステップと、
基地局が、第１のＣＣＡ検出閾値と、システムによって許容される最小ＣＣＡ検出閾値及び最大ＣＣＡ検出閾値とに基づいて、少なくとも１つのＣＣＡ検出閾値を取得するステップと、を含み、
少なくとも１つの被スケジュール端末における各被スケジュール端末のＭＣＳは、チャネル品質指標（ＣＱＩ）を用いて基地局によって調整された後の被スケジュール端末のＭＣＳ値、又は予め設定された統計学的期間内にエア・インターフェース上で被スケジュール端末をスケジューリングするために使用される平均ＭＣＳ値である。
【００１２】
オプションで、第１のＣＣＡ検出閾値ＣＣＡＴｎ１＝−８２＋ＳＴＥＰ１＊ＭＣＳｎ／ＭＣＳｍａｘであり、ここで、ＳＴＥＰは、予め設定された第１の調整ステップを表し、ＭＣＳｎは、ＣＱＩを用いて基地局によって調整された後のＭＣＳ値を表し、ＭＣＳｍａｘは、システム内の最大ＭＣＳ値を表す、又は
第１のＣＣＡ検出閾値ＣＣＡＴｎ１＝−８２＋ＳＴＥＰ１＊ＭＣＳｍｅａｎ／ＭＣＳｍａｘであり、ここで、ＭＣＳｍｅａｎは、予め設定された統計学的期間内にエア・インターフェース上で端末をスケジューリングするために使用される平均ＭＣＳ値を示す。
【００１３】
オプションで、基地局が、少なくとも１つのクリアチャネル評価（ＣＣＡ）検出閾値を取得するステップは、
基地局が、少なくとも１つの被スケジュール端末により報告される受信信号強度指標（ＲＳＳＩ）を受信するステップと、
基地局が、ＲＳＳＩに基づいて、各被スケジュール端末のＣＣＡ検出閾値を決定するステップと、を含む。
【００１４】
オプションで、基地局が、ＲＳＳＩに基づいて、各被スケジュール端末のＣＣＡ検出閾値を決定するステップは、
基地局が、ＲＳＳＩと基地局側制御値との間の差を計算して第２のＣＣＡ検出閾値を取得するステップと、
基地局が、第２のＣＣＡ検出閾値と、システムによって許容される最小ＣＣＡ検出閾値及び最大ＣＣＡ検出閾値とに基づいて、ＲＳＳＩを報告する被スケジュール端末のＣＣＡ検出閾値を決定するステップと、を含む。
【００１５】
オプションで、第２のＣＣＡ検出閾値ＣＣＡＴｎ２＝ＲＳＳＩ−Ｍａｒｇｉｎであり、ここで、Ｍａｒｇｉｎは基地局側制御値を表す。
【００１６】
オプションで、基地局が、少なくとも１つのクリアチャネル評価（ＣＣＡ）検出閾値を取得するステップは、
基地局が、少なくとも１つの被スケジュール端末により報告される信号品質指標（ＣＱＩ）情報を受信するステップと、
基地局が、ＣＱＩ情報に基づいて、ＣＱＩ情報を報告する被スケジュール端末のＣＣＡ検出閾値を決定するステップと、を含む。
【００１７】
オプションで、基地局が、ＣＱＩ情報に基づいて、ＣＱＩ情報を報告する被スケジュール端末のＣＣＡ検出閾値を決定するステップは、
基地局が、予め設定された第２の調整ステップ、ＣＱＩ情報、システム内の最大ＣＱＩ値、及びシステムに対応するＣＣＡ検出閾値に基づいて、第３のＣＣＡ検出閾値を取得するステップと、
基地局が、第３のＣＣＡ検出閾値と、システムによって許容される最小ＣＣＡ検出閾値及び最大ＣＣＡ検出閾値とに基づいて、ＣＱＩ情報を報告する被スケジュール端末のＣＣＡ検出閾値を決定するステップと、を含む。
【００１８】
オプションで、第３のＣＣＡ検出閾値ＣＣＡＴｎ３＝−８２＋ＳＴＥＰ２＊ＣＱＩ／ＣＱＩｍａｘである。
【００１９】
オプションで、基地局が、少なくとも１つのクリアチャネル評価（ＣＣＡ）検出閾値を取得する前に、方法は、
基地局が、少なくとも１つの被スケジュール端末により送信されるＣＣＡ検出閾値又はＣＣＡ検出閾値レベルを受信するステップであって、ＣＣＡ検出閾値は、被スケジュール端末によって、第４のＣＣＡ検出閾値と、システムによって許容される最小ＣＣＡ検出閾値及び最大ＣＣＡ検出閾値とに基づいて決定される、受信するステップをさらに含み、
第４のＣＣＡ検出閾値は、被スケジュール端末によって、信号対干渉プラス雑音比、被スケジュール端末に対応する最小の信号対干渉プラス雑音比、及び基地局側制御値に基づいて計算される、又は、第４のＣＣＡ検出閾値は、被スケジュール端末によって、基準信号測定によって得られる信号強度指標値、雑音電力値、被スケジュール端末に対応する最小の信号対干渉プラス雑音比、及び基地局側制御値に基づいて計算される。
【００２０】
本発明の実施形態の第２の態様は、データ送信装置を提供し、この装置は、
少なくとも１つのクリアチャネル評価（ＣＣＡ）検出閾値を取得するように構成される取得モジュールであって、各ＣＣＡ検出閾値は少なくとも１つの被スケジュール端末に対応する、取得モジュールと、
少なくとも１つのＣＣＡ検出閾値から現在のＣＣＡ検出閾値を決定し、且つ現在のＣＣＡ検出閾値に基づいて、送信すべきデータの送信電力を決定するように構成される決定モジュールと、
送信電力に基づいて、送信すべきデータをターゲット端末に送信するように構成される送信モジュールであって、ターゲット端末は少なくとも１つの被スケジュール端末に属する、送信モジュールと、を含む。
【００２１】
オプションで、決定モジュールは、過去の統計量又はスループット予測又はその両方に基づいて、第１のＣＣＡ検出閾値を用いてＣＣＡ検出を行い、ＣＣＡ検出が成功した後に、第１のＣＣＡ検出閾値を現在のＣＣＡ検出閾値として決定し、第１のＣＣＡ検出閾値は、第１の端末に対応するＣＣＡ検出閾値であり、第１の端末は、少なくとも１つの被スケジュール端末のうちの１つである、又は
第１のＣＣＡ検出閾値を用いてＣＣＡ検出を行い、ＣＣＡ検出が成功した後に、第１のＣＣＡ検出閾値を現在のＣＣＡ検出閾値として決定し、第１のＣＣＡ検出閾値は、第１の端末に対応するＣＣＡ検出閾値であり、第１の端末は、少なくとも１つの被スケジュール端末の中で優先順位が最も高い端末である、又は
第１のＣＣＡ検出閾値を用いてＣＣＡ検出を行い、ＣＣＡ検出が成功した後に、第１のＣＣＡ検出閾値を現在のＣＣＡ検出閾値として決定し、第１のＣＣＡ検出閾値は、第１の端末に対応するＣＣＡ検出閾値であり、第１の端末は第１の端末グループに属しており、第１の端末に対応するＣＣＡ検出閾値は、第１の端末グループのＣＣＡ検出閾値範囲内にある、ように特に構成される。
【００２２】
オプションで、決定モジュールは、ＣＣＡ検出を行うために、少なくとも１つの被スケジュール端末の優先順位に基づいて、複数の検討対象のＣＣＡ検出閾値を決定すること、及び複数の検討対象のＣＣＡ検出閾値の中で閾値が最も小さい検討対象のＣＣＡ検出閾値を用いて行われた検出が成功した場合に、閾値が最も小さい検討対象のＣＣＡ検出閾値を現在のＣＣＡ検出閾値として決定し、又は
閾値が最も小さい検討対象のＣＣＡ検出閾値を用いて行われた検出が失敗し、閾値が最も小さい検討対象のＣＣＡ検出閾値に対応するＮ値がゼロまで減少するのを待つと決定された場合に、閾値が最も小さい検討対象のＣＣＡ検出閾値を現在のＣＣＡ検出閾値として決定し、又は
閾値が最も小さい検討対象のＣＣＡ検出閾値を用いて行われた検出が失敗した場合に、他の検討対象のＣＣＡ検出閾値から、ＣＣＡ検出に成功した検討対象のＣＣＡ検出閾値を現在のＣＣＡ検出閾値として決定する、ように特に構成される。
【００２３】
オプションで、取得モジュールは、少なくとも１つの被スケジュール端末の変調及び符号化方式（ＭＣＳ）に基づいて、少なくとも１つのクリアチャネル評価（ＣＣＡ）検出閾値を取得するように特に構成される。
【００２４】
オプションで、取得モジュールは、予め設定された第１の調整ステップ、少なくとも１つの被スケジュール端末のＭＣＳ、システム内の最大ＭＣＳ値、及びシステムに対応するＣＣＡ検出閾値に基づいて、第１のＣＣＡ検出閾値を取得し、及び
第１のＣＣＡ検出閾値と、システムによって許容される最小ＣＣＡ検出閾値及び最大ＣＣＡ検出閾値とに基づいて、少なくとも１つのＣＣＡ検出閾値を取得する、ように特に構成され、
少なくとも１つの被スケジュール端末における各被スケジュール端末のＭＣＳは、チャネル品質指標（ＣＱＩ）を用いて基地局によって調整された後の被スケジュール端末のＭＣＳ値、又は予め設定された統計学的期間内にエア・インターフェース上で被スケジュール端末をスケジューリングするために使用される平均ＭＣＳ値である。
【００２５】
オプションで、取得モジュールは、少なくとも１つの被スケジュール端末により報告される受信信号強度指標（ＲＳＳＩ）を受信し、ＲＳＳＩに基づいて、各被スケジュール端末のＣＣＡ検出閾値を決定する、ように特に構成される。
【００２６】
オプションで、取得モジュールは、ＲＳＳＩと基地局側制御値との間の差を計算して第２のＣＣＡ検出閾値を取得し、第２のＣＣＡ検出閾値と、システムによって許容される最小ＣＣＡ検出閾値及び最大ＣＣＡ検出閾値とに基づいて、ＲＳＳＩを報告する被スケジュール端末のＣＣＡ検出閾値を決定する、ように特に構成される。
【００２７】
オプションで、取得モジュールは、少なくとも１つの被スケジュール端末により報告されるチャネル品質指標（ＣＱＩ）情報を受信し、ＣＱＩ情報に基づいて、ＣＱＩ情報を報告する被スケジュール端末のＣＣＡ検出閾値を決定する、ように特に構成される。
【００２８】
オプションで、取得モジュールは、予め設定された第２の調整ステップ、ＣＱＩ情報、システム内の最大ＣＱＩ値、及びシステムに対応するＣＣＡ検出閾値に基づいて、第３のＣＣＡ検出閾値を取得し、第３のＣＣＡ検出閾値と、システムによって許容される最小ＣＣＡ検出閾値及び最大ＣＣＡ検出閾値とに基づいて、ＣＱＩ情報を報告する被スケジュール端末のＣＣＡ検出閾値を決定する、ように特に構成される。
【００２９】
オプションで、取得モジュールは、少なくとも１つの被スケジュール端末により送信されるＣＣＡ検出閾値又はＣＣＡ検出閾値レベルを受信するように特に構成され、
ＣＣＡ検出閾値は、被スケジュール端末によって、第４のＣＣＡ検出閾値と、システムによって許容される最小ＣＣＡ検出閾値及び最大ＣＣＡ検出閾値とに基づいて決定され、
第４のＣＣＡ検出閾値は、被スケジュール端末によって、信号対干渉プラス雑音比、被スケジュール端末に対応する最小の信号対干渉プラス雑音比、及び基地局側制御値に基づいて計算される、又は、第４のＣＣＡ検出閾値は、被スケジュール端末によって、基準信号測定によって得られる信号強度指標値、雑音電力値、被スケジュール端末に対応する最小の信号対干渉プラス雑音比、及び基地局側制御値に基づいて計算される。
【００３０】
本発明の実施形態の第３の態様は、メモリ及びプロセッサを含むデータ送信装置を提供し、メモリはプログラム命令を記憶するように構成され、プロセッサは、メモリ内のプログラム命令を呼び出して、以下の方法：
少なくとも１つのクリアチャネル評価（ＣＣＡ）検出閾値を取得することであって、各ＣＣＡ検出閾値は少なくとも１つの被スケジュール端末に対応する、取得することと、
少なくとも１つのＣＣＡ検出閾値から現在のＣＣＡ検出閾値を決定することと、
現在のＣＣＡ検出閾値に基づいて、送信すべきデータの送信電力を決定することと、
送信電力に基づいて、送信すべきデータをターゲット端末に送信することであって、ターゲット端末は少なくとも１つの被スケジュール端末に属する、送信することと、を行うように構成される。
【００３１】
オプションで、プロセッサは、過去の統計量又はスループット予測又はその両方に基づいて、第１のＣＣＡ検出閾値を用いてＣＣＡ検出を行い、ＣＣＡ検出が成功した後に、第１のＣＣＡ検出閾値を現在のＣＣＡ検出閾値として決定し、第１のＣＣＡ検出閾値は、第１の端末に対応するＣＣＡ検出閾値であり、第１の端末は、少なくとも１つの被スケジュール端末のうちの１つである、又は
第１のＣＣＡ検出閾値を用いてＣＣＡ検出を行い、ＣＣＡ検出が成功した後に、第１のＣＣＡ検出閾値を現在のＣＣＡ検出閾値として決定し、第１のＣＣＡ検出閾値は、第１の端末に対応するＣＣＡ検出閾値であり、第１の端末は、少なくとも１つの被スケジュール端末の中で優先順位が最も高い端末である、又は
第１のＣＣＡ検出閾値を用いてＣＣＡ検出を行い、ＣＣＡ検出が成功した後に、第１のＣＣＡ検出閾値を現在のＣＣＡ検出閾値として決定し、第１のＣＣＡ検出閾値は、第１の端末に対応するＣＣＡ検出閾値であり、第１の端末は第１の端末グループに属しており、第１の端末に対応するＣＣＡ検出閾値は、第１の端末グループのＣＣＡ検出閾値範囲内にある、ように特に構成される。
【００３２】
オプションで、プロセッサは、ＣＣＡ検出を行うために、少なくとも１つの被スケジュール端末の優先順位に基づいて、少なくとも１つのＣＣＡ検出閾値から複数の検討対象のＣＣＡ検出閾値を決定し、複数の検討対象のＣＣＡ検出閾値の中で閾値が最も小さい検討対象のＣＣＡ検出閾値を用いて行われた検出が成功した場合に、閾値が最も小さい検討対象のＣＣＡ検出閾値を現在のＣＣＡ検出閾値として決定し、又は
閾値が最も小さい検討対象のＣＣＡ検出閾値を用いて行われた検出が失敗し、且つ閾値が最も小さい検討対象のＣＣＡ検出閾値に対応するＮ値がゼロまで減少するのを待つと決定された場合に、閾値が最も小さい検討対象のＣＣＡ検出閾値を現在のＣＣＡ検出閾値として決定し、又は
閾値が最も小さい検討対象のＣＣＡ検出閾値を用いて行われた検出が失敗した場合に、他の検討対象のＣＣＡ検出閾値から、ＣＣＡ検出に成功した検討対象のＣＣＡ検出閾値を現在のＣＣＡ検出閾値として決定する、ように特に構成される。
【００３３】
オプションで、プロセッサは、少なくとも１つの被スケジュール端末の変調及び符号化方式（ＭＣＳ）に基づいて、少なくとも１つのクリアチャネル評価（ＣＣＡ）検出閾値を取得するように特に構成される。
【００３４】
オプションで、プロセッサは、予め設定された第１の調整ステップ、少なくとも１つの被スケジュール端末のＭＣＳ、システム内の最大ＭＣＳ値、及びシステムに対応するＣＣＡ検出閾値に基づいて、第１のＣＣＡ検出閾値を取得し、及び
第１のＣＣＡ検出閾値と、システムによって許容される最小ＣＣＡ検出閾値及び最大ＣＣＡ検出閾値とに基づいて、少なくとも１つのＣＣＡ検出閾値を取得する、ように特に構成され、
少なくとも１つの被スケジュール端末における各被スケジュール端末のＭＣＳは、チャネル品質指標（ＣＱＩ）を用いて基地局によって調整された後の被スケジュール端末のＭＣＳ値、又は予め設定された統計学的期間内にエア・インターフェース上で被スケジュール端末をスケジューリングするために使用される平均ＭＣＳ値である。
【００３５】
オプションで、プロセッサは、少なくとも１つの被スケジュール端末により報告される受信信号強度指標（ＲＳＳＩ）を受信し、ＲＳＳＩに基づいて、各被スケジュール端末のＣＣＡ検出閾値を決定する、ように特に構成される。
【００３６】
オプションで、プロセッサは、ＲＳＳＩと基地局側制御値との間の差を計算して第２のＣＣＡ検出閾値を取得し、第２のＣＣＡ検出閾値と、システムによって許容される最小ＣＣＡ検出閾値及び最大ＣＣＡ検出閾値とに基づいて、ＲＳＳＩを報告する被スケジュール端末のＣＣＡ検出閾値を決定する、ように特に構成される。
【００３７】
オプションで、プロセッサは、少なくとも１つの被スケジュール端末により報告されるチャネル品質指標（ＣＱＩ）情報を受信し、ＣＱＩ情報に基づいて、ＣＱＩ情報を報告する被スケジュール端末のＣＣＡ検出閾値を決定する、ように特に構成される。
【００３８】
オプションで、プロセッサは、予め設定された第２の調整ステップ、ＣＱＩ情報、システム内の最大ＣＱＩ値、及びシステムに対応するＣＣＡ検出閾値に基づいて、第３のＣＣＡ検出閾値を取得し、第３のＣＣＡ検出閾値と、システムによって許容される最小ＣＣＡ検出閾値及び最大ＣＣＡ検出閾値とに基づいて、ＣＱＩ情報を報告する被スケジュール端末のＣＣＡ検出閾値を決定する、ように特に構成される。
【００３９】
オプションで、プロセッサは、少なくとも１つの被スケジュール端末により送信されるＣＣＡ検出閾値又はＣＣＡ検出閾値レベルを受信するように特に構成され、
ＣＣＡ検出閾値は、被スケジュール端末によって、第４のＣＣＡ検出閾値と、システムによって許容される最小ＣＣＡ検出閾値及び最大ＣＣＡ検出閾値とに基づいて決定され、
第４のＣＣＡ検出閾値は、被スケジュール端末によって、信号対干渉プラス雑音比、被スケジュール端末に対応する最小の信号対干渉プラス雑音比、及び基地局側制御値に基づいて計算される、又は、第４のＣＣＡ検出閾値は、被スケジュール端末によって、基準信号測定によって得られる信号強度指標値、雑音電力値、被スケジュール端末に対応する最小の信号対干渉プラス雑音比、及び基地局側制御値に基づいて計算される。
【００４０】
本発明の実施形態で提供されるデータ送信方法及び装置では、基地局は、少なくとも１つのＣＣＡ検出閾値を取得し、少なくとも１つのＣＣＡ検出閾値から現在のＣＣＡ検出閾値を決定し、現在のＣＣＡ検出閾値に基づいて、送信すべきデータの送信電力を決定し、送信電力に基づいて、送信すべきデータをターゲット端末に送信する。このように、ＣＣＡ検出閾値を柔軟に選択し、送信電力を適応して調整し、空間分割多重化の確率及びスペクトル利用効率を改善することにより、システム容量を増大させ、システム同士の間の干渉を回避する。
【図面の簡単な説明】
【００４１】
【図１】本発明によるデータ送信方法のシステムアーキテクチャの概略図である。
【図２】本発明の一実施形態によるデータ送信方法の概略フローチャートである。
【図３】本発明の一実施形態による別のデータ送信方法の概略フローチャートである。
【図４】本発明の一実施形態によるデータ送信装置の概略構造図である。
【図５】本発明の一実施形態による別のデータ送信装置の概略構造図である。
【発明を実施するための形態】
【００４２】
無線アクセスネットワーク（Radio Access Network, RAN）装置とも呼ばれる基地局は、端末を無線ネットワークに接続する装置であり、グローバル移動体通信システム（Global
System for Mobile Communications、略してGSM）又は符号分割多元接続（Code Division Multiple Access, CDMA）における無線基地局（Base Transceiver Station、略してBTS）であり得、或いは広帯域符号分割多元接続（Wideband Code Division Multiple Access、略してWCDMA）におけるノードＢ（NodeB、略してNB）であり得、或いは発展型ノードＢ（evolved NodeB、略してeNB又はeNodeB）、中継局、又はロングタームエボリューション（Long Term
Evolution、略してLTE）におけるアクセスポイント、或いは将来の５Ｇネットワークにおける基地局等であり得る。これは本明細書で限定されるものではない。
【００４３】
端末は、無線端末又は有線端末であってもよい。無線端末は、音声及び／又は他のサービスデータ接続をユーザに提供する装置、無線接続機能を有するハンドヘルド装置、又は無線モデムに接続された別の処理装置であり得る。無線端末は、無線アクセスネットワーク（Radio Access Network、略してRAN）を介して１つ又は複数のコアネットワークと通信することができる。無線端末は、携帯電話（「セルラー」電話とも呼ばれる）等の携帯端末、又は携帯端末を装備したコンピュータであってもよく、例えば、無線アクセスネットワークと音声及び／又はデータを交換する携帯用、ポケットサイズの、ハンドヘルド式の、コンピュータ内蔵型の、又は車載用の移動装置であってもよい。例えば、無線端末は、パーソナル通信サービス（Personal Communication Service、略してPCS）電話、コードレス電話器、セッション開始プロトコル（Session Initiation Protocol、略してSIP）電話、無線加入者回線（Wireless Local Loop、略してWLL）局、又は携帯情報端末（Personal Digital Assistant、略してPDA）等の装置であってもよい。無線端末は、システム、加入者ユニット（Subscriber Unit）、加入者局（Subscriber Station）、移動局（Mobile Station）、移動局（Mobile）、リモート局（Remote Station）、リモート端末（Remote Terminal）、アクセス端末（Access Terminal）、ユーザ端末（User Terminal）、ユーザエージェント（User Agent）、又はユーザ装置（User Device又はUser Equipment）とも呼ばれ得る。これは本明細書で限定されるものではない。
【００４４】
本発明の実施形態において、「複数」とは、２つ又は２つより多いことを指す。用語「及び／又は」は、関連するオブジェクトを説明するための関連関係を示し、３つの関係が存在し得ることを表す。例えば、Ａ及び／又はＢは、以下の３つの場合を表し得る：Ａのみが存在する、ＡとＢとの両方が存在する、及びＢのみが存在する。文字「／」は、一般に、関連するオブジェクト同士の間の「又は」の関係を示す。
なお、式中、「＊」は乗算記号を表し、「／」は除算記号を表す。
【００４５】
図１は、本発明によるデータ送信方法のシステムアーキテクチャの概略図である。図１に示されるように、システムアーキテクチャは、第１のアクセスポイント０１と第２のアクセスポイント０２とを含み、左側の円が第１のアクセスポイント０１の監視範囲を示し、右側の円が第２のアクセスポイント０２の監視範囲を示す。
【００４６】
第１のアクセスポイント０１は、２人のユーザ：リモートエンド（remote-end）ユーザＳＴＡ１とニアエンド（near-end）ユーザＳＴＡ２とを含む。第２のアクセスポイント０２は、１人のユーザ：ＳＴＡ３を含む。
【００４７】
既存の方法では、第１のアクセスポイント０１がデータをＳＴＡ１又はＳＴＡ２に送信するとき、第２のアクセスポイント０２は、リスニングによって、チャネルがビジーであるとみなし、ＳＴＡ３へのデータ送信を停止するが、実際の状況は、ＳＴＡ２が第２のアクセスポイント０１の範囲内におらず、第１のアクセスポイント０１によってＳＴＡ２にデータを送信することは、第２のアクセスポイント０２によってＳＴＡ３にデータを送信することと干渉しない。
【００４８】
本発明のこの実施形態におけるシステムは、ロングタームエボリューション（Long Term Evolution、略してLTE）通信システム又はＬＴＥアドバンスト（LTE-Advanced、略してLTE-E）通信システムであり得ることに留意されたい。これは、これらの通信システムに限定されるものではない。
【００４９】
本発明のこの実施形態では、免許不要スペクトルの利用を改善するために、データ送信方法が提供される。
【００５０】
確かに、本発明のこの実施形態は、免許不要スペクトルに適用可能である。本発明のこの実施形態は、キャリア・アグリゲーション・シナリオに適用可能であり、免許不要スペクトルのスタンドアロン（standalone）使用のシナリオにも適用可能である。免許不要スペクトルのキャリア・アグリゲーションは、免許不要スペクトルの１つ又は複数のキャリアのキャリア・アグリゲーション、又は免許不要スペクトルの１つ又は複数のキャリアと免許要スペクトルに含まれる１つ又は複数のキャリアとのキャリア・アグリゲーションを含み得る。これは本明細書で限定されるものではない。
【００５１】
図２は、本発明の一実施形態によるデータ送信方法の概略フローチャートである。図２に示されるように、この方法は以下のステップを含む。
【００５２】
Ｓ２０１：基地局が、少なくとも１つのＣＣＡ検出閾値を取得する。
各ＣＣＡ検出閾値は、少なくとも１つの被スケジュール（to-be-scheduled）端末に対応する。
現在のデータ送信では、基地局は、１つ又は複数の端末をスケジュール調整する必要があり得、スケジュール調整する必要がある端末に基づいて、少なくとも１つのＣＣＡ検出閾値を決定し得る。
ＣＣＡ検出閾値は、ＬＢＴメカニズムにおける重要なパラメータであり、チャネルがビジーであるかどうかを判定するために基地局によって使用される基礎であることに留意されたい。基地局によって検出された信号エネルギーがＣＣＡ検出閾値よりも高い場合に、基地局は、チャネルが現在ビジー状態である、すなわちチャネルが利用不可能であると判定する。基地局によって検出された信号エネルギーがＣＣＡ検出閾値よりも低い場合に、基地局は、チャネルが現在アイドル状態である、すなわちチャネルが利用可能であると判定する。
この実施形態では、スケジュール調整する必要がある少なくとも１つの被スケジュール端末に対して、少なくとも１つのＣＣＡ検出閾値が具体的に設定されるが、代わりに統一ＣＣＡ検出閾値は使用されない。
【００５３】
Ｓ２０２：基地局は、少なくとも１つのＣＣＡ検出閾値から現在のＣＣＡ検出閾値を決定する。
【００５４】
Ｓ２０３：基地局は、現在のＣＣＡ検出閾値に基づいて、送信すべきデータの送信電力を決定する。
オプションで、送信電力は、現在のＣＣＡ検出閾値と線形関係にある。
特に、予め設定された範囲において、送信電力は、ターゲットＣＣＡ検出閾値と線形関係にある。具体的には、送信すべきデータの送信電力は、予め設定された最大送信電力よりも小さく、且つ予め設定された最小送信電力よりも大きく、そして現在のＣＣＡ検出閾値と線形関係にある。
【００５５】
Ｓ２０４：基地局は、送信電力に基づいて、送信すべきデータをターゲット端末に送信し、ここで、ターゲット端末は、少なくとも１つの被スケジュール端末に属する。
送信すべきデータの送信電力は現在のＣＣＡ検出閾値に基づいて決定され、送信電力はターゲットＣＣＡ検出閾値と線形関係にあるので、システム同士の間の干渉を回避することができる。
【００５６】
この実施形態では、基地局は、少なくとも１つのＣＣＡ検出閾値を取得し、少なくとも１つのＣＣＡ検出閾値から現在のＣＣＡ検出閾値を決定し、現在のＣＣＡ検出閾値に基づいて、送信すべきデータの送信電力を決定し、送信電力に基づいて、送信すべきデータをターゲット端末に送信する。このように、ＣＣＡ検出閾値を柔軟に選択し、送信電力を適応して調整し、空間分割多重化の確率及びスペクトル利用効率を改善することにより、システム容量を増大させ、システム同士の間の干渉を回避する。
【００５７】
オプションで、基地局が、少なくとも１つのＣＣＡ検出閾値を取得することは、基地局が、少なくとも１つの被スケジュール端末の変調及び符号化方式（Modulation and Coding Scheme、略してMCS）に基づいて、少なくとも１つのＣＣＡ検出閾値を取得することであり得る。
【００５８】
また、基地局が、少なくとも１つの被スケジュール端末のＭＣＳに基づいて、少なくとも１つのＣＣＡ検出閾値を取得することは、基地局が、予め設定された第１の調整ステップ、少なくとも１つの被スケジュール端末のＭＣＳ、システム内の最大ＭＣＳ値、及びシステムに対応するＣＣＡ検出閾値に基づいて、第１のＣＣＡ検出閾値を取得すること、及び基地局が、第１のＣＣＡ検出閾値と、システムによって許容される最小ＣＣＡ検出閾値及び最大ＣＣＡ検出閾値とに基づいて、少なくとも１つのＣＣＡ検出閾値を取得することであってもよい。
【００５９】
少なくとも１つの被スケジュール端末における各被スケジュール端末のＭＣＳは、ＣＱＩを用いて基地局によって調整された後の被スケジュール端末のＭＣＳ値、又は予め設定された統計学的期間内にエア・インターフェース上で被スケジュール端末をスケジューリングするために使用される平均ＭＣＳ値である。
【００６０】
この実施形態では、各被スケジュール端末のＣＣＡ検出閾値が、各被スケジュール端末のＭＣＳに基づいて最初に決定される。
【００６１】
換言すれば、一実施態様では、基地局は、予め設定された第１の調整ステップ（step）、チャネル品質指標（Channel Quality Indicator、略してCQI）を用いて基地局によって調整された後に取得され且つ被スケジュール端末上で実際のエア・インターフェーススケジューリングを行うために使用されるＭＣＳ値、システム内の最大ＭＣＳ値、及びシステムに対応するＣＣＡ検出閾値に基づいて、第１のＣＣＡ検出閾値を取得することができる。次に、基地局は、第１のＣＣＡ検出閾値と、システムによって許容される最小ＣＣＡ検出閾値及び最大ＣＣＡ検出閾値とに基づいて、被スケジュール端末のＣＣＡ検出閾値を決定する。
【００６２】
被スケジュール端末のＣＣＡ検出閾値は、システムによって許容される最大ＣＣＡ検出閾値以下であり、被スケジュール端末のＣＣＡ検出閾値は、システムによって許容される最小ＣＣＡ検出閾値以上である。
【００６３】
オプションで、特定の被スケジュール端末のＣＣＡ検出閾値は、以下の式を用いて得られる：ＣＣＡ検出閾値＝ｍｉｎ（ｍａｘ（ＣＣＡＴｎ１，ＣＣＡｍｉｎ），ＣＣＡｍａｘ）。
ＣＣＡＴｎ１は、第１のＣＣＡ検出閾値であり、且つ被スケジュール端末ｎにデータを送信するために使用される閾値をデシベルミリワット（ｄＢｍ）単位で示す。
【００６４】
オプションで、第１のＣＣＡ検出閾値は、ＣＣＡＴｎ１＝−８２＋ＳＴＥＰ１＊ＭＣＳｎ／ＭＣＳｍａｘであり、ここで、ＳＴＥＰは、予め設定された第１の調整ステップを示し、ＭＣＳｎは、ＣＱＩを用いて基地局によって調整された後のＭＣＳ値を示し、ＭＣＳｍａｘは、システム内の最大ＭＣＳ値を示し、ＬＴＥシステムにおけるＭＣＳｍａｘの値は２８であってもよいが、これに限定されるものではない。「−８２」は、システムに対応するＣＣＡ検出閾値をｄＢｍ単位で示す。予め設定された第１の調整ステップＳＴＥＰ１は、基地局側で制御してもよく、予め設定された第１の調整ステップの値域は、［２０ｄＢｍ，４０ｄＢｍ］であってもよい。これは本明細書で限定されるものではない。
【００６５】
ＣＣＡｍｉｎは、システムによって許容される最小ＣＣＡ検出閾値を示し、ＣＣＡｍａｘは、システムによって許容される最大ＣＣＡ検出閾値を示す。
【００６６】
あるいはまた、別の実施態様では、基地局は、予め設定された第１の調整ステップ、予め設定された統計学的期間内にエア・インターフェース上で被スケジュール端末をスケジューリングするために使用される平均ＭＣＳ値、システム内の最大ＭＣＳ値、及びシステムに対応するＣＣＡ検出閾値に基づいて、第１のＣＣＡ検出閾値を取得する。次に、基地局は、第１のＣＣＡ検出閾値と、システムによって許容される最小ＣＣＡ検出閾値及び最大ＣＣＡ検出閾値とに基づいて、被スケジュール端末のＣＣＡ検出閾値を決定する。
【００６７】
被スケジュール端末のＣＣＡ検出閾値は、システムによって許容される最大ＣＣＡ検出閾値以下であり、被スケジュール端末のＣＣＡ検出閾値は、システムによって許容される最小ＣＣＡ検出閾値以上である。
【００６８】
オプションで、端末が予め設定された統計学的期間内にエア・インターフェース上でスケジュールされた回数がカウントされ、被スケジュール端末が予め設定された統計学的期間内にスケジュールされる度に使用されるＭＣＳ値がカウントされ、平均値ＭＣＳｍｅａｎを計算する。
【００６９】
端末Ａが、予め設定された統計学的期間内に５回スケジュール調整されると仮定する。端末Ａに対応する５回分のＭＣＳ値が取得され、最終的に平均値が取得される。
【００７０】
具体的な計算方法は、以下のように表すことができる。第１のＣＣＡ検出閾値ＣＣＡＴｎ１＝−８２＋ＳＴＥＰ１＊ＭＣＳｍｅａｎ／ＭＣＳｍａｘ、ここで、ＭＣＳｍｅａｎは、予め設定された統計学的期間内にエア・インターフェース上で端末をスケジューリングするために使用される平均ＭＣＳ値を示す。予め設定された第１の調整ステップは、基地局側で制御してもよく、予め設定された第１の調整ステップの値域は、［２０ｄＢｍ，４０ｄＢｍ］であってもよい。これは本明細書で限定されるものではない。
【００７１】
また、ＣＣＡ検出閾値は、代替的に、以下の式を用いた計算によって取得してもよい：ＣＣＡ検出閾値＝ｍｉｎ（ｍａｘ（ＣＣＡＴｎ１，ＣＣＡｍｉｎ），ＣＣＡｍａｘ）。
ＣＣＡｍｉｎは、システムによって許容される最小ＣＣＡ検出閾値を示し、ＣＣＡｍａｘは、システムによって許容される最大ＣＣＡ検出閾値を示す。
また、端末のＣＣＡ検出閾値は別の方法で決定してもよい。
【００７２】
基地局が少なくとも１つのＣＣＡ検出閾値を取得する前に、基地局は、少なくとも１つの被スケジュール端末により報告される受信信号強度指標（Received Signal Strength Indicator、略してRSSI）を受信することができ、基地局は、ＲＳＳＩに基づいて、各被スケジュール端末のＣＣＡ検出閾値をさらに決定する。
【００７３】
オプションで、端末は受信信号に基づいてＲＳＳＩを取得し、次に被スケジュール端末は物理層シグナリングを用いてＲＳＳＩを基地局に報告することができる。物理層シグナリングは、無線リソース制御（Radio Resource Control、略してRRC）シグナリング、又はメディアアクセス制御（Media Access Control）制御要素（Control Element、略してCE）シグナリングであり得る。
【００７４】
また、基地局が、ＲＳＳＩに基づいて、各被スケジュール端末のＣＣＡ検出閾値を決定することは、基地局が、ＲＳＳＩと基地局側制御値との差を計算して第２のＣＣＡ検出閾値を取得すること、及び基地局が、第２のＣＣＡ検出閾値と、システムによって許容される最小ＣＣＡ検出閾値及び最大ＣＣＡ検出閾値とに基づいて、端末のＣＣＡ検出閾値を決定することであってもよい。被スケジュール端末のＣＣＡ検出閾値は、システムによって許容される最大ＣＣＡ検出閾値以下であり、被スケジュール端末のＣＣＡ検出閾値は、システムによって許容される最小ＣＣＡ検出閾値以上である。
【００７５】
オプションで、第２のＣＣＡ検出閾値は、ＣＣＡＴｎ２＝ＲＳＳＩ−Ｍａｒｇｉｎであり、ここで、Ｍａｒｇｉｎは基地局側制御値を表し、Ｍａｒｇｉｎの値域は［０ｄＢｍ，３０ｄＢｍ］であってもよい。
【００７６】
ＣＣＡ検出閾値＝ｍｉｎ（ｍａｘ（ＣＣＡＴｎ２，ＣＣＡｍｉｎ），ＣＣＡｍａｘ）である。
ＣＣＡｍｉｎは、システムによって許容される最小ＣＣＡ検出閾値を示し、ＣＣＡｍａｘは、システムによって許容される最大ＣＣＡ検出閾値を示す。
【００７７】
オプションで、別の実施態様では、基地局が、少なくとも１つのＣＣＡ検出閾値を取得することは、基地局が、少なくとも１つの被スケジュール端末により報告されるＣＱＩ情報を受信すること、及び基地局が、ＣＱＩ情報に基づいて、ＣＱＩ情報を報告する被スケジュール端末のＣＣＡ検出閾値を決定することであってもよい。
【００７８】
具体的には、基地局は、異なる被スケジュール端末により報告されるＣＱＩ情報を受信し、被スケジュール端末により報告されるＣＱＩ情報に基づいて、対応する被スケジュール端末のＣＣＡ検出閾値を決定する。端末により報告されるＣＱＩ情報は、特定の瞬間に端末が取得した瞬時値であり得るか、又はある期間に端末が計算した平均値であり得ることに留意されたい。
【００７９】
端末は、物理アップリンク共有チャネル（Physical Uplink Shared Channel、略してPUSCH）又は物理アップリンク制御チャネル（Physical Uplink Control Channel、略してPUCCH）を用いて、ＣＱＩ情報を基地局に報告することができる。これはこれらのチャネルに限定されるものではない。
【００８０】
特に、基地局が、ＣＱＩ情報に基づいて、ＣＱＩ情報を報告する被スケジュール端末のＣＣＡ検出閾値を決定することは、基地局が、予め設定された第２の調整ステップ、ＣＱＩ情報、システム内の最大ＣＱＩ値、及びシステムに対応するＣＣＡ検出閾値に基づいて、第３のＣＣＡ検出閾値を取得すること、及び基地局が、第３のＣＣＡ検出閾値と、システムによって許容される最小ＣＣＡ検出閾値及び最大ＣＣＡ検出閾値とに基づいて、ＣＱＩ情報を報告する被スケジュール端末のＣＣＡ検出閾値を決定することであってもよい。被スケジュール端末のＣＣＡ検出閾値は、システムによって許容される最大ＣＣＡ検出閾値以下であり、端末のＣＣＡ検出閾値は、システムによって許容される最小ＣＣＡ検出閾値以上である。
【００８１】
オプションで、第３のＣＣＡ検出閾値は以下の式を用いて表される。第３のＣＣＡ検出閾値ＣＣＡＴｎ３＝−８２＋ＳＴＥＰ２＊ＣＱＩ／ＣＱＩｍａｘであり、ここで、予め設定された第２の調整ステップＳＴＥＰ２は基地局側によって制御してもよく、予め設定された第２の調整ステップの値域は、［２０ｄＢｍ，４０ｄＢｍ］であってもよい。これは本明細書で限定されるものではない。「−８２」はシステムに対応するＣＣＡ検出閾値をｄＢｍ単位で表すが、システムに対応するＣＣＡ検出閾値はこの値に限定されるものではない。ＣＱＩｍａｘは、ＣＱＩの許容最大値を示す。この値は、ＬＴＥシステムでは１５に固定されており、本明細書では限定されるものではない。
【００８２】
また、ＣＣＡエネルギー検出閾値＝ｍｉｎ（ｍａｘ（ＣＣＡＴｎ３，ＣＣＡｍｉｎ），ＣＣＡｍａｘ）である。
ＣＣＡｍｉｎは、システムによって許容される最小ＣＣＡ検出閾値を示し、ＣＣＡｍａｘは、システムによって許容される最大ＣＣＡ検出閾値を示す。
【００８３】
オプションで、別の実施形態では、被スケジュール端末は、被スケジュール端末のＣＣＡ検出閾値を決定し、ＣＣＡ検出閾値を基地局に報告することができる。
【００８４】
特に、基地局が少なくとも１つのＣＣＡ検出閾値を取得する前に、基地局は、少なくとも１つの被スケジュール端末により送信されるＣＣＡ検出閾値又はＣＣＡ検出閾値レベルをさらに受信し得る。ＣＣＡ検出閾値は、被スケジュール端末によって、第４のＣＣＡ検出閾値と、システムによって許容される最小ＣＣＡ検出閾値及び最大ＣＣＡ検出閾値とに基づいて決定され、ＣＣＡ検出閾値は、システムによって許容される最小ＣＣＡ検出閾値以上であり、ＣＣＡ検出閾値は、システムによって許容される最小ＣＣＡ検出閾値以上である。
【００８５】
オプションで、端末は、周囲環境に基づいて、端末が許容することができる最も高いＣＣＡ検出閾値を測定し、次に最も高いＣＣＡ検出閾値を基地局に報告する。
【００８６】
オプションで、第４のＣＣＡ検出閾値は、端末によって、信号対干渉プラス雑音比、端末に対応する最小の信号対干渉プラス雑音比、及び基地局側制御値に基づいて計算される。
【００８７】
第４のＣＣＡ検出閾値は、以下のように表すことができる。第４のＣＣＡ検出閾値ＣＣＡＴｎ４＝ＳＩＮＲ−ＳＩＮＲｍｉｎ−Ｍａｒｇｉｎであり、ここで、ＳＩＮＲは信号対干渉プラス雑音比（Signal to Interference plus Noise Ratio、略してSINR）であり、ＳＩＮＲｍｉｎは端末に対応する最小の信号対干渉プラス雑音比を表し、Ｍａｒｇｉｎは基地局側制御値を表す。Ｍａｒｇｉｎの値域は、［０ｄＢｍ，３０ｄＢｍ］であってもよく、これは本明細書では限定されるものではない。
【００８８】
あるいはまた、第４のＣＣＡ検出閾値は、端末によって、基準信号測定によって得られる信号強度指標値、雑音電力値、端末に対応する最小の信号対干渉プラス雑音比、及び基地局側制御値に基づいて計算される。
【００８９】
具体的には、第４のＣＣＡ検出閾値は、ＣＣＡＴｎ４＝ＲＳＳＩ−Ｎｏｉｓｅ−ＳＩＮＲｍｉｎ−Ｍａｒｇｉｎであり、ここで、ＲＳＳＩは基準信号測定によって端末が取得した信号強度指標値を表し、Ｎｏｉｓｅは雑音電力値を表し、ＳＩＮＲｍｉｎは端末に対応する最小の信号対干渉プラス雑音比を表し、Ｍａｒｇｉｎは基地局側制御値を表す。Ｍａｒｇｉｎの値域は、［０ｄＢｍ，３０ｄＢｍ］であってもよく、これは本明細書では限定されるものではない。
【００９０】
また、ＣＣＡエネルギー検出閾値＝ｍｉｎ（ｍａｘ（ＣＣＡＴｎ４，ＣＣＡｍｉｎ），ＣＣＡｍａｘ）である。
ＣＣＡｍｉｎは、システムによって許容される最小ＣＣＡ検出閾値を示し、ＣＣＡｍａｘは、システムによって許容される最大ＣＣＡ検出閾値を示す。
【００９１】
基地局は、ＣＣＡ検出閾値レベルとＣＣＡ検出閾値との間のマッピング関係を予め記憶することができ、或いは端末又は別の上位層装置は、ＣＣＡ検出閾値レベルとＣＣＡ検出閾値との間のマッピング関係を基地局に送信することができる。基地局が端末により送信されるＣＣＡ検出閾値レベルを受信する場合に、対応するＣＣＡ検出閾値は、ＣＣＡ検出閾値レベルとＣＣＡ検出閾値との間のマッピング関係に基づいて決定される。
【００９２】
オプションで、被スケジュール端末は、物理層シグナリングを用いて、ＣＣＡ検出閾値レベル又はＣＣＡ検出閾値を基地局に送信することができる。
【００９３】
物理層シグナリングは、ＲＲＣシグナリング又はＭＡＣ  ＣＥシグナリングであってもよく、これは本明細書では限定されるものではない。
【００９４】
オプションで、データを基地局に送信するときに、端末は、基地局によって使用されるのと同様の方法でＣＣＡ検出を行うこと、すなわち端末によって決定されたＣＣＡ検出閾値を用いてＣＣＡ検出を行うことができ、検出が成功した後に、端末は、端末のＣＣＡ検出閾値に基づいてアップリンクデータの送信電力を決定し、アップリンクデータの送信電力を用いてアップリンクデータを基地局に送信することもできる。アップリンクデータの送信電力も、ＣＣＡ検出閾値と線形関係にあり得る。
【００９５】
無線チャネルは非常に複雑であり、且つランダム性及び時間分散を特徴とし、ＲＳＳＩ、雑音、及びＳＩＮＲ等の前述したパラメータの瞬時値は必ずしも代表的なものではないことに留意されたい。従って、前述した式で使用される各パラメータは、統計的収集期間後に得られる平均値であり得、これは本明細書で限定されるものではない。
【００９６】
オプションで、前述した実施形態では、ＣＣＡｍｉｎの値は−９２ｄＢｍであってもよく、ＣＣＡｍａｘの値は−６２ｄＢｍであってもよい。これはこれらの数値に限定されるものではない。
【００９７】
また、前述したプロセスは、主に、単一端末のＣＣＡ検出閾値をどのように決定するかに関するものである。決定が完了した後に、現在のデータ送信においてスケジュール調整する必要がある少なくとも１つの端末が特定のシナリオに基づいて決定され得、少なくとも１つの端末に対応するＣＣＡ検出閾値が決定され得る。
【００９８】
オプションで、現在のデータ送信においてスケジュール調整する必要がある少なくとも１つの被スケジュール端末は、１バースト（burst）でスケジュール調整される少なくとも１つの被スケジュール端末、又は１バーストの最初のサブフレームでスケジュール調整される少なくとも１つの被スケジュール端末であり得る。
【００９９】
いくつかのシナリオでは、基地局は１つのＣＣＡ検出閾値のみを使用することを許可され、例えば、１つのＣＣＡ検出閾値のみが、いくつかの基準又は規制に従って、又は環境制限に従って使用され得ることに留意されたい。これは本明細書で限定されるものではない。
【０１００】
基地局が１回のデータ送信で１つのターゲットＣＣＡ検出閾値を使用する場合に、基地局が、少なくとも１つのＣＣＡ検出閾値から現在のＣＣＡ検出閾値を決定することは、以下のいくつかの場合を含み得るが、これらに限定されるものではない。
【０１０１】
（１）基地局は、現在のデータ送信において１つの端末のみをスケジュール調整する。従って、基地局は、データ送信においてスケジュール調整すべき被スケジュール端末に対応するＣＣＡ検出閾値を現在のＣＣＡ検出閾値として使用する。
この場合に、現在のデータ送信において１つの端末のみがスケジュール調整されている場合に、端末のＣＣＡ検出閾値が現在のＣＣＡ検出閾値として使用される。
【０１０２】
（２）基地局は、過去の統計量又はスループット予測に基づいて、第１のＣＣＡ検出閾値を用いてＣＣＡ検出を行い、ＣＣＡ検出が成功した後に、第１のＣＣＡ検出閾値を現在のＣＣＡ検出閾値として決定する。第１のＣＣＡ検出閾値は、第１の端末に対応するＣＣＡ検出閾値であり、第１の端末は、少なくとも１つの被スケジュール端末のうちの１つである。
少なくとも１つの被スケジュール端末が２つ以上の端末である場合に、基地局は、複数の端末のうちの１つに対応するＣＣＡ検出閾値を用いてＣＣＡ検出を行い、検出が成功した後に、被スケジュール端末に対応するＣＣＡ検出閾値を現在のＣＣＡ検出閾値として使用する。
例えば、基地局は、過去の統計データから、ＣＣＡ検出に成功した過去のＣＣＡ検出閾値を取得し、次に、少なくとも１つのＣＣＡ検出閾値から、過去のＣＣＡ検出閾値に比較的近いＣＣＡ検出閾値を選択して、ＣＣＡ検出を行う、及び／又は、
基地局は、少なくとも１つのＣＣＡ検出閾値から、比較的望ましいスループット予測結果を伴うＣＣＡ検出閾値を選択して、ＣＣＡ検出を行うことができる。
【０１０３】
（３）基地局は、第１のＣＣＡ検出閾値を用いてＣＣＡ検出を行い、ＣＣＡ検出に成功した後に、第１のＣＣＡ検出閾値を現在のＣＣＡ検出閾値として決定する。第１のＣＣＡ検出閾値は、第１の端末に対応するＣＣＡ検出閾値であり、第１の端末は、少なくとも１つの被スケジュール端末の中で優先順位が最も高い端末である。
少なくとも１つの被スケジュール端末が２つ以上の端末である場合に、基地局は、被スケジュール端末の中で優先順位が最も高い端末を最初に決定し、次に優先順位が最も高い端末に対応するＣＣＡ検出閾値を決定して、ＣＣＡ検出を行ってもよい。
【０１０４】
（４）基地局は、第１のＣＣＡ検出閾値を用いてＣＣＡ検出を行い、ＣＣＡ検出が成功した後に、第１のＣＣＡ検出閾値を現在のＣＣＡ検出閾値として決定する。第１のＣＣＡ検出閾値は、第１の端末に対応するＣＣＡ検出閾値であり、第１の端末は第１の端末グループに属しており、第１の端末に対応するＣＣＡ検出閾値は第１の端末グループのＣＣＡ検出閾値範囲内にある。
【０１０５】
各端末グループ内の端末は同じＣＣＡ検出閾値範囲に属する。換言すれば、第１の端末に対応するＣＣＡ検出閾値は、第１の端末グループのＣＣＡ検出閾値範囲以下である。
【０１０６】
端末は、端末のＣＣＡ検出閾値の範囲に基づいてグループ化してもよい。例えば、ＣＣＡ検出閾値が（−８２ｄＢｍ，−７２ｄＢｍ]に属する端末が１つのグループに追加され、ＣＣＡ検出閾値が（−７２ｄＢｍ，−６２ｄＢｍ]に属する端末が別のグループに追加される。固定したＣＣＡ検出閾値がグループ毎に予め設定され得る。例えば、グループ（−８２ｄＢｍ，−７２ｄＢｍ）の固定したＣＣＡ閾値が−７７ｄＢｍであり、グループ（−７２ｄＢｍ、−６２ｄＢｍ）の固定したＣＣＡ閾値が−６７ｄＢｍである。被スケジュール端末が属する端末グループに基づいて、複数の端末グループのうちの１つのグループに対する固定したＣＣＡ検出閾値が、ＣＣＡ検出を行うために選択される。
【０１０７】
少なくとも１つの被スケジュール端末が２つ以上の端末であり、被スケジュール端末が複数の端末グループに属する場合であって、スケジュール調整される端末が同じ端末グループに属する場合には、その端末グループに対する固定したＣＣＡ検出閾値を選択して、ＣＣＡ検出を行ってもよい。複数の被スケジュール端末が同じ端末グループに属していない場合には、複数の被スケジュール端末の中で優先順位が最も高い端末が最初に決定され、優先順位が最も高い端末が属するグループに対する固定したＣＣＡ検出閾値を使用して、ＣＣＡ検出を行う。
【０１０８】
また、いくつかのシナリオでは、基地局は複数のＣＣＡ検出閾値を使用してもよい。この場合に、複数の被スケジュール端末に対応する複数のＣＣＡ検出閾値をそのままＣＣＡ検出閾値セットとして使用してＣＣＡ検出を行ってもよく、或いは、複数のＣＣＡ検出閾値からいくつかのＣＣＡ検出閾値をＣＣＡ検出閾値セットとして選択して、ＣＣＡ検出を行ってもよい。
【０１０９】
オプションで、基地局が、少なくとも１つのＣＣＡ検出閾値から現在のＣＣＡ検出閾値を決定することは、基地局が、ＣＣＡ検出を行うために、少なくとも１つの被スケジュール端末の優先順位に基づいて、少なくとも１つのＣＣＡ検出閾値から複数の検討対象の（pending）ＣＣＡ検出閾値を決定し、基地局が複数の検討対象のＣＣＡ検出閾値の中で閾値が最も小さい検討対象のＣＣＡ検出閾値を用いて検出を行うことに成功した場合に、基地局が、閾値が最も小さい検討対象のＣＣＡ検出閾値を現在のＣＣＡ検出閾値として決定すること、又は
基地局が、閾値が最も小さい検討対象のＣＣＡ検出閾値を用いて検出を行うことに失敗し、基地局が、閾値が最も小さい検討対象のＣＣＡ検出閾値に対応するＮ値がゼロまで減少するのを待つことを決定した場合に、基地局が、閾値が最も小さい検討対象のＣＣＡ検出閾値を現在のＣＣＡ検出閾値として決定すること（換言すれば、この実施形態では、基地局は、閾値が最も小さい検討対象のＣＣＡ検出閾値が検出に成功するのを待つ）、又は
基地局が、閾値が最も小さい検討対象のＣＣＡ検出閾値を用いて検出を行うことに失敗した場合に、基地局が、他の検討対象のＣＣＡ検出閾値から、ＣＣＡ検出に成功した検討対象のＣＣＡ検出閾値を現在のＣＣＡ検出閾値として決定すること（換言すれば、この実施形態では、基地局は、閾値が最も小さい検討対象のＣＣＡ検出閾値が検出に成功するのを待たない）であり得る。
【０１１０】
オプションで、基地局は、過去の統計データ、各検討対象のＣＣＡ検出閾値のＣＣＡ検出プロセスにおけるＮ値の減少速度等に基づいて、スループットを予測することができる。予測されたスループットが予め設定された条件を満たす場合に、基地局は、対応するＮ値が０になるまで、閾値が最も小さい検討対象のＣＣＡ検出閾値を待ってＣＣＡ検出を行い、閾値が最も小さい検討対象のＣＣＡ検出閾値が検出に成功した後に、閾値が最も小さい検討対象のＣＣＡ検出閾値を目標ＣＣＡ閾値として決定することができる。基地局が、ＣＣＡ検出を行うために、閾値が最も小さい検討対象のＣＣＡ検出閾値を待たないと決定した場合に、基地局は、他の未完了のＣＣＡ検出を終了させ、検出に成功した検討対象のＣＣＡ検出閾値を現在のＣＣＡ検出閾値として決定し、例えば、検出に成功した検討対象のＣＣＡ検出閾値から、閾値が最も小さい検討対象のＣＣＡ検出閾値を現在のＣＣＡ検出閾値として選択するか、又はスループット予測等の他のデータに基づいて現在のＣＣＡ検出閾値を選択する。これは本明細書で限定されるものではない。過去の統計データは、ＣＣＡ検出に成功したＣＣＡ検出閾値の履歴データであり得る。
【０１１１】
この実施形態では、いくつかのＣＣＡ検出閾値が優先順位に基づいて選択される。例えば、端末の優先順位が高い順に、予め設定された個数のＣＣＡ検出閾値を選択してＣＣＡ検出を行う。これは本明細書で限定されるものではない。
【０１１２】
なお、１つＣＣＡ検出閾値のみを用いる場合に、ＣＣＡ検出閾値をそのまま使用してＣＣＡ検出を行い、チャネル検出に成功した後に、予め設定された線形関係に基づいて送信電力が決定され、送信すべきデータが送信される。複数のＣＣＡ検出閾値が使用され得る場合に、複数のＣＣＡ検出閾値は、ＣＣＡ検出を同時に実行するために使用され得る。
【０１１３】
図３は、本発明の一実施形態による別のデータ送信方法の概略フローチャートである。
複数の検討対象のＣＣＡ検出閾値は、ＣＣＡ検出を行うために、少なくとも１つのＣＣＡ検出閾値から決定され、具体的には、各検討対象のＣＣＡ検出閾値は、以下の方法を実行するために別々に使用され得る。
【０１１４】
Ｓ３０１：基地局は、ターゲットチャネルの信号エネルギーが検討対象のＣＣＡ検出閾値より小さいかどうかを検出する。
【０１１５】
ターゲットチャネルの信号エネルギーが検討対象のＣＣＡ検出閾値より小さい場合に、Ｓ３０２が実行され、又は、ターゲットチャネルの信号エネルギーが検討対象のＣＣＡ検出閾値以上である場合に、Ｓ３０４が実行される。
【０１１６】
Ｓ３０２：現在のＣＣＡスロットに対応するＮ値を１だけ減少させ、次のＣＣＡスロットのＮ値を取得する。
【０１１７】
Ｓ３０３： Ｎ値が０かどうかを判定する。そうでなければ、Ｓ３０１に戻り、そうであれば、ＣＣＡ検出が成功したと判定する。
【０１１８】
この実施形態では、Ｎ値は、乱数であり、ＬＡＡシステムにおけるＬＢＴ技術の基本パラメータの１つである。各ＣＣＡスロットにおいて、ターゲットチャネルの信号エネルギーが検討対象のＣＣＡ検出閾値より小さい場合に、Ｎは１だけ減少される。そうでなければ、Ｎは変更されないままであり、Ｎが０になるまでＣＣＡ検出が次のＣＣＡスロットで続行される。Ｎが０の場合に、ＣＣＡ検出が成功したとみなされる。
【０１１９】
Ｓ３０４：次のＣＣＡスロットで検出を行う。つまり、検出に失敗したことを示し、次のＣＣＡスロットでＳ３０１が継続して実行される。
【０１２０】
前述したプロセスでは、ＣＣＡ検出は、ＣＣＡスロット（slot）の粒度で実行されるが、これに限定されるものではない。あるいはまた、ＣＣＡ検出は、別の予め設定期間を用いて行われ得る。
【０１２１】
複数のＣＣＡ検出閾値を用いて行われるＣＣＡ検出は、同期して行ってもよく、又は同期して行わなくてもよいが、互いに独立しており、互いに影響を及ぼさない。
【０１２２】
また、ＣＣＡ検出に成功した検討対象のＣＣＡ検出閾値を現在のＣＣＡ検出閾値として決定することは、以下の方法を含み得る。
【０１２３】
オプションで、チャネルを迅速に先取りするために、基地局は、現在のデータ送信のためにスケジュール調整されている端末を考慮するのではなく、複数のＣＣＡ検出閾値を直接決定することができる。
【０１２４】
一実施態様では、基地局は、予め設定された間隔に基づいて、予め設定された範囲内で複数のＣＣＡ検出閾値を決定する。例えば、（−８２ｄＢｍ，−６２ｄＢｍ］の範囲では、ＣＣＡ検出閾値として５ｄＢｍ毎に値が選択される。これは本明細書で限定されるものではない。
【０１２５】
複数のＣＣＡ検出閾値が決定された後に、現在のＣＣＡ検出閾値をさらに決定するための別のプロセスは、前述した実施形態と同じである。
【０１２６】
基地局が複数のＣＣＡ検出閾値を直接決定するそのような方法は、屋内又はホットスポットエリアのネットワーク配置に適用可能である。これらのシナリオのために計画されたカバレッジ間隔は通常比較的小さく、端末は、比較的良好な信号品質を有する位置に基本的にあると考えられ得る。もちろん、２つのシナリオはそれに限定されるものではない。
【０１２７】
図４は、本発明の一実施形態によるデータ送信装置の概略構造図である。図４に示されるように、装置は、取得モジュール４０１、決定モジュール４０２、及び送信モジュール４０３を含む。
【０１２８】
取得モジュール４０１は、少なくとも１つのクリアチャネル評価（ＣＣＡ）検出閾値を取得するように構成され、ここで、各ＣＣＡ検出閾値は、少なくとも１つの被スケジュール端末に対応する。
【０１２９】
決定モジュール４０２は、少なくとも１つのＣＣＡ検出閾値から現在のＣＣＡ検出閾値を決定し、現在のＣＣＡ検出閾値に基づいて、送信すべきデータの送信電力を決定するように構成される。
【０１３０】
送信モジュール４０３は、送信電力に基づいて、送信すべきデータをターゲット端末に送信するように構成され、ここで、ターゲット端末は、少なくとも１つの被スケジュール端末に属する。
【０１３１】
この実施形態では、ＣＣＡ検出閾値を柔軟に選択し、送信電力を適応して調整し、空間分割多重化の確率及びスペクトル利用効率を改善することにより、システム容量を増大させ、システム同士の間の干渉を回避する。
【０１３２】
オプションで、決定モジュール４０２は、過去の統計量又はスループット予測又はその両方に基づいて、第１のＣＣＡ検出閾値を用いてＣＣＡ検出を行い、ＣＣＡ検出が成功した後に、第１のＣＣＡ検出閾値を現在のＣＣＡ検出閾値として決定する、ここで、第１のＣＣＡ検出閾値は、第１の端末に対応するＣＣＡ検出閾値であり、第１の端末は、少なくとも１つの被スケジュール端末のうちの１つである、又は
第１のＣＣＡ検出閾値を用いてＣＣＡ検出を行い、ＣＣＡ検出が成功した後に、第１のＣＣＡ検出閾値を現在のＣＣＡ検出閾値として決定する、ここで、第１のＣＣＡ検出閾値は、第１の端末に対応するＣＣＡ検出閾値であり、第１の端末は、少なくとも１つの被スケジュール端末の中で優先順位が最も高い端末である、又は
第１のＣＣＡ検出閾値を用いてＣＣＡ検出を行い、ＣＣＡ検出が成功した後に、第１のＣＣＡ検出閾値を現在のＣＣＡ検出閾値として決定する、ここで、第１のＣＣＡ検出閾値は、第１の端末に対応するＣＣＡ検出閾値であり、第１の端末は第１の端末グループに属しており、第１の端末に対応するＣＣＡ検出閾値は、第１の端末グループのＣＣＡ検出閾値範囲内にある、ように特に構成される。
【０１３３】
オプションで、決定モジュール４０２は、ＣＣＡ検出を行うために、少なくとも１つの被スケジュール端末の優先順位に基づいて、少なくとも１つのＣＣＡ検出閾値から複数の検討対象のＣＣＡ検出閾値を決定し、複数の検討対象のＣＣＡ検出閾値の中で閾値が最も小さい検討対象のＣＣＡ検出閾値を用いて行われた検出が成功した場合に、閾値が最も小さい検討対象のＣＣＡ検出閾値を現在のＣＣＡ検出閾値として決定する、又は
閾値が最も小さい検討対象のＣＣＡ検出閾値を用いて行われた検出が失敗し、閾値が最も小さい検討対象のＣＣＡ検出閾値に対応するＮ値がゼロまで減少するのを待つと決定された場合に、閾値が最も小さい検討対象のＣＣＡ検出閾値を現在のＣＣＡ検出閾値として決定する、或いは、閾値が最も小さい検討対象のＣＣＡ検出閾値を用いて行われた検出が失敗した場合に、他の検討対象のＣＣＡ検出閾値から、ＣＣＡ検出に成功した検討対象のＣＣＡ検出閾値を現在のＣＣＡ検出閾値として決定する、ように特に構成される。
【０１３４】
オプションで、取得モジュール４０１は、少なくとも１つの被スケジュール端末の変調及び符号化方式（ＭＣＳ）に基づいて、少なくとも１つのクリアチャネル評価（ＣＣＡ）検出閾値を取得するように特に構成される。
【０１３５】
オプションで、取得モジュール４０１は、予め設定された第１の調整ステップ、少なくとも１つの被スケジュール端末のＭＣＳ、システム内の最大ＭＣＳ値、及びシステムに対応するＣＣＡ検出閾値に基づいて、第１のＣＣＡ検出閾値を取得し、第１のＣＣＡ検出閾値と、システムによって許容される最小ＣＣＡ検出閾値及び最大ＣＣＡ検出閾値とに基づいて、少なくとも１つのＣＣＡ検出閾値を取得する、ように特に構成される。ここで、少なくとも１つの被スケジュール端末における各被スケジュール端末のＭＣＳは、チャネル品質指標（ＣＱＩ）を用いて基地局によって調整された後の被スケジュール端末のＭＣＳ値、又は予め設定された統計学的期間内にエア・インターフェース上で被スケジュール端末をスケジューリングするために使用される平均ＭＣＳ値である。
【０１３６】
オプションで、取得モジュール４０１は、少なくとも１つの被スケジュール端末により報告される受信信号強度指標（ＲＳＳＩ）を受信し、ＲＳＳＩに基づいて、各被スケジュール端末のＣＣＡ検出閾値を決定する、ように特に構成される。
【０１３７】
オプションで、取得モジュール４０１は、ＲＳＳＩと基地局側制御値との間の差を計算して第２のＣＣＡ検出閾値を取得し、第２のＣＣＡ検出閾値と、システムによって許容される最小ＣＣＡ検出閾値及び最大ＣＣＡ検出閾値とに基づいて、ＲＳＳＩを報告する被スケジュール端末のＣＣＡ検出閾値を決定する、ように特に構成される。
【０１３８】
オプションで、取得モジュール４０１は、少なくとも１つの被スケジュール端末により報告されるチャネル品質指標（ＣＱＩ）情報を受信し、ＣＱＩ情報に基づいて、ＣＱＩ情報を報告する被スケジュール端末のＣＣＡ検出閾値を決定する、ように特に構成される。
【０１３９】
オプションで、取得モジュール４０１は、予め設定された第２の調整ステップ、ＣＱＩ情報、システム内の最大ＣＱＩ値、及びシステムに対応するＣＣＡ検出閾値に基づいて、第３のＣＣＡ検出閾値を取得し、第３のＣＣＡ検出閾値と、システムによって許容される最小ＣＣＡ検出閾値及び最大ＣＣＡ検出閾値とに基づいて、ＣＱＩ情報を報告する被スケジュール端末のＣＣＡ検出閾値を決定する、ように特に構成される。
【０１４０】
オプションで、取得モジュール４０１は、少なくとも１つの被スケジュール端末により送信されるＣＣＡ検出閾値又はＣＣＡ検出閾値レベルを受信するように特に構成され、ＣＣＡ検出閾値は、被スケジュール端末によって、第４のＣＣＡ検出閾値と、システムによって許容される最小ＣＣＡ検出閾値及び最大ＣＣＡ検出閾値とに基づいて決定され、第４のＣＣＡ検出閾値は、被スケジュール端末によって、信号対干渉プラス雑音比、被スケジュール端末に対応する最小の信号対干渉プラス雑音比、及び基地局側制御値に基づいて計算される、又は、第４のＣＣＡ検出閾値は、被スケジュール端末によって、基準信号測定によって得られる信号強度指標値、雑音電力値、被スケジュール端末に対応する最小の信号対干渉プラス雑音比、及び基地局側制御値に基づいて計算される。
【０１４１】
装置の実施原理及び技術的効果は、前述した方法の実施形態のものと同様であり、詳細についてここでは再び説明しない。
【０１４２】
図５は、本発明の一実施形態による別のデータ送信装置の概略構造図である。図５に示されるように、装置は、プロセッサ５０１、メモリ５０２、インターフェース回路５０３、及びバス５０４を含む。
【０１４３】
プロセッサ５０１、メモリ５０２、及びインターフェース回路５０３は、バス５０４を用いて互いに接続されて通信する。プロセッサ５０１は、インターフェース回路５０３を用いて他の装置と対話する。メモリ５０２は、一組のプログラムコードを記憶し、プロセッサ５０１は、メモリに記憶されたプログラムコードを呼び出して、以下の動作を実行する：
少なくとも１つのクリアチャネル評価（ＣＣＡ）検出閾値を取得する、ここで、各ＣＣＡ検出閾値は少なくとも１つの被スケジュール端末に対応する；
少なくとも１つのＣＣＡ検出閾値から現在のＣＣＡ検出閾値を決定する；
現在のＣＣＡ検出閾値に基づいて、送信すべきデータの送信電力を決定する；及び
送信電力に基づいて、送信すべきデータをターゲット端末に送信する、ここで、ターゲット端末は少なくとも１つの被スケジュール端末に属する。
【０１４４】
オプションで、プロセッサ５０１は、過去の統計量又はスループット予測又はその両方に基づいて、第１のＣＣＡ検出閾値を用いてＣＣＡ検出を行い、ＣＣＡ検出が成功した後に、第１のＣＣＡ検出閾値を現在のＣＣＡ検出閾値として決定する、ここで、第１のＣＣＡ検出閾値は、第１の端末に対応するＣＣＡ検出閾値であり、第１の端末は、少なくとも１つの被スケジュール端末のうちの１つである、又は
第１のＣＣＡ検出閾値を用いてＣＣＡ検出を行い、ＣＣＡ検出が成功した後に、第１のＣＣＡ検出閾値を現在のＣＣＡ検出閾値として決定する、ここで、第１のＣＣＡ検出閾値は、第１の端末に対応するＣＣＡ検出閾値であり、第１の端末は、少なくとも１つの被スケジュール端末の中で優先順位が最も高い端末である、又は
第１のＣＣＡ検出閾値を用いてＣＣＡ検出を行い、ＣＣＡ検出が成功した後に、第１のＣＣＡ検出閾値を現在のＣＣＡ検出閾値として決定する、ここで、第１のＣＣＡ検出閾値は、第１の端末に対応するＣＣＡ検出閾値であり、第１の端末は第１の端末グループに属しており、第１の端末に対応するＣＣＡ検出閾値は、第１の端末グループのＣＣＡ検出閾値範囲内にある、ように特に構成される。
【０１４５】
オプションで、プロセッサ５０１は、ＣＣＡ検出を行うために、少なくとも１つの被スケジュール端末の優先順位に基づいて、少なくとも１つのＣＣＡ検出閾値から複数の検討対象のＣＣＡ検出閾値を決定し、複数の検討対象のＣＣＡ検出閾値の中で閾値が最も小さい検討対象のＣＣＡ検出閾値を用いて行われた検出が成功した場合に、閾値が最も小さい検討対象のＣＣＡ検出閾値を現在のＣＣＡ検出閾値として決定する、又は
閾値が最も小さい検討対象のＣＣＡ検出閾値を用いて行われた検出が失敗し、閾値が最も小さい検討対象のＣＣＡ検出閾値に対応するＮ値がゼロまで減少するのを待つと決定された場合に、閾値が最も小さい検討対象のＣＣＡ検出閾値を現在のＣＣＡ検出閾値として決定する、又は
閾値が最も小さい検討対象のＣＣＡ検出閾値を用いて行われた検出が失敗した場合に、他の検討対象のＣＣＡ検出閾値から、ＣＣＡ検出に成功した検討対象のＣＣＡ検出閾値を現在のＣＣＡ検出閾値として決定する、ように特に構成される。
【０１４６】
オプションで、プロセッサ５０１は、少なくとも１つの被スケジュール端末の変調及び符号化方式（ＭＣＳ）に基づいて、少なくとも１つのクリアチャネル評価（ＣＣＡ）検出閾値を取得するように特に構成される。
【０１４７】
オプションで、プロセッサ５０１は、予め設定された第１の調整ステップ、少なくとも１つの被スケジュール端末のＭＣＳ、システム内の最大ＭＣＳ値、及びシステムに対応するＣＣＡ検出閾値に基づいて、第１のＣＣＡ検出閾値を取得し、第１のＣＣＡ検出閾値と、システムによって許容される最小ＣＣＡ検出閾値及び最大ＣＣＡ検出閾値とに基づいて、少なくとも１つのＣＣＡ検出閾値を取得する、ように特に構成される。ここで、少なくとも１つの被スケジュール端末における各被スケジュール端末のＭＣＳは、チャネル品質指標（ＣＱＩ）を用いて基地局によって調整された後の被スケジュール端末のＭＣＳ値、又は予め設定された統計学的期間内にエア・インターフェース上で被スケジュール端末をスケジューリングするために使用される平均ＭＣＳ値である。
【０１４８】
オプションで、プロセッサ５０１は、少なくとも１つの被スケジュール端末により報告される受信信号強度指標（ＲＳＳＩ）を受信し、ＲＳＳＩに基づいて、各被スケジュール端末のＣＣＡ検出閾値を決定する、ように特に構成される。
【０１４９】
オプションで、プロセッサ５０１は、ＲＳＳＩと基地局側制御値との間の差を計算して第２のＣＣＡ検出閾値を取得し、第２のＣＣＡ検出閾値と、システムによって許容される最小ＣＣＡ検出閾値及び最大ＣＣＡ検出閾値とに基づいて、ＲＳＳＩを報告する被スケジュール端末のＣＣＡ検出閾値を決定する、ように特に構成される。
【０１５０】
オプションで、プロセッサ５０１は、少なくとも１つの被スケジュール端末により報告されるチャネル品質指標（ＣＱＩ）情報を受信し、ＣＱＩ情報に基づいて、ＣＱＩ情報を報告する被スケジュール端末のＣＣＡ検出閾値を決定する、ように特に構成される。
【０１５１】
オプションで、プロセッサ５０１は、予め設定された第２の調整ステップ、ＣＱＩ情報、システム内の最大ＣＱＩ値、及びシステムに対応するＣＣＡ検出閾値に基づいて、第３のＣＣＡ検出閾値を取得し、第３のＣＣＡ検出閾値と、システムによって許容される最小ＣＣＡ検出閾値及び最大ＣＣＡ検出閾値とに基づいて、ＣＱＩ情報を報告する被スケジュール端末のＣＣＡ検出閾値を決定する、ように特に構成される。
【０１５２】
オプションで、プロセッサ５０１は、少なくとも１つの被スケジュール端末により送信されるＣＣＡ検出閾値又はＣＣＡ検出閾値レベルを受信するように特に構成され、ＣＣＡ検出閾値は、被スケジュール端末によって、第４のＣＣＡ検出閾値と、システムによって許容される最小ＣＣＡ検出閾値及び最大ＣＣＡ検出閾値とに基づいて決定される。第４のＣＣＡ検出閾値は、被スケジュール端末によって、信号対干渉プラス雑音比、被スケジュール端末に対応する最小の信号対干渉プラス雑音比、及び基地局側制御値に基づいて計算される、又は、第４のＣＣＡ検出閾値は、被スケジュール端末によって、基準信号測定によって得られる信号強度指標値、雑音電力値、被スケジュール端末に対応する最小の信号対干渉プラス雑音比、及び基地局側制御値に基づいて計算される。
【０１５３】
装置の実施原理及び技術的効果は、前述した方法の実施形態のものと同様であり、詳細についてここでは再び説明しない。
【０１５４】
本発明で提供されるいくつかの実施形態では、開示される装置及び方法は他の方法で実施し得ることを理解すべきである。例えば、説明した装置の実施形態は単なる例である。例えば、ユニット分割は単なる論理的機能の分割であり、実際の実施態様では別の分割方法があり得る。例えば、複数のユニット又は構成要素を組み合わせたり、別のシステムに統合してもよく、或いはいくつかの機能を無視したり、実行しなくてもよい。さらに、表示された又は議論された相互結合又は直接結合又は通信接続は、いくつかのインターフェースを用いて実施してもよい。装置同士の間又はユニット同士の間の間接結合又は通信接続は、電子的、機械的、又は他の形態で実施することができる。
【０１５５】
別々の部品として説明されているユニットは物理的に分離してもしなくてもよく、ユニットとして表示されている部品は物理的ユニットでもそうでなくてもよく、すなわち一箇所にあってもよく、複数のネットワークユニットに分散してもよい。実施形態の解決策の目的を達成するために、いくつか又は全てのユニットを実際の要件に基づいて選択してもよい。
【０１５６】
また、本発明の各実施形態における機能ユニットを１つの処理ユニットに統合してもよく、又は各ユニットは物理的に単独で存在してもよく、又は２つ以上のユニットを１つのユニット統合してもよい。統合ユニットは、ハードウェアの形態で実施してもよく、又はソフトウェア機能ユニットと組み合わされたハードウェアの形態で実施してもよい。
【０１５７】
前述した統合ユニットがソフトウェア機能ユニットの形態で実施されるとき、統合ユニットはコンピュータ可読記憶媒体に記憶させてもよい。ソフトウェア機能ユニットは、記憶媒体に記憶され、本発明の実施形態において説明した方法のいくつかのステップを実行するために、コンピュータ装置（パーソナルコンピュータ、サーバ、ネットワーク装置等であり得る）又はプロセッサ（英語：processor）に指示するためのいくつかの命令を含む。前述した記憶媒体は、ＵＳＢフラッシュドライブ、リムーバブルハードディスク、読取り専用メモリ（Read-Only Memory、略してROM）、ランダムアクセスメモリ（Random Access Memory、略してRAM）、磁気ディスク、又は光ディスク等の、プログラムコードを記憶することができる任意の媒体を含む。
【０１５８】
最後に、前述した実施形態は単に本発明の技術的解決策を説明することを意図しており、本発明を限定することを意図していないことに留意されたい。本発明について前述した実施形態を参照して詳細に説明したが、当業者であれば、本発明の実施形態の技術的解決策の範囲から逸脱することなく、依然として、前述した実施形態において説明した技術的解決策を修正すること、或いはその技術的特徴の一部又は全部を均等物に置き換えることができることを理解できよう。
【図１】
2020500479.tif 000003
【図２】
2020500479.tif 000004
【図３】
2020500479.tif 000005
【図４】
2020500479.tif 000006
【図５】
2020500479.tif 000007
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
データ送信方法であって、当該方法は、
基地局が、少なくとも１つのクリアチャネル評価（ＣＣＡ）検出閾値を取得するステップであって、各ＣＣＡ検出閾値は、少なくとも１つのスケジュール調整対象端末に対応する、取得するステップと、
前記基地局が、前記少なくとも１つのＣＣＡ検出閾値から現在のＣＣＡ検出閾値を決定するステップと、
前記基地局が、前記現在のＣＣＡ検出閾値に基づいて、送信すべきデータの送信電力を決定するステップと、
前記基地局が、前記送信電力に基づいて、前記送信すべきデータをターゲット端末に送信するステップであって、該ターゲット端末は、前記少なくとも１つのスケジュール調整対象端末のうちの１つである、送信するステップと、を含む、
方法。
【請求項２】
前記基地局が、前記少なくとも１つのＣＣＡ検出閾値から現在のＣＣＡ検出閾値を決定するステップは、
前記基地局が、過去の統計量又はスループット予測又はその両方に基づいて、第１のＣＣＡ検出閾値を用いてＣＣＡ検出を行うステップと、該ＣＣＡ検出が成功した後に、前記第１のＣＣＡ検出閾値を前記現在のＣＣＡ検出閾値として決定するステップとを含み、前記第１のＣＣＡ検出閾値は、第１の端末に対応するＣＣＡ検出閾値であり、前記第１の端末は、前記少なくとも１つのスケジュール調整対象端末のうちの１つである、又は
前記基地局が、第１のＣＣＡ検出閾値を用いてＣＣＡ検出を行うステップと、該ＣＣＡ検出が成功した後に、前記第１のＣＣＡ検出閾値を前記現在のＣＣＡ検出閾値として決定するステップとを含み、前記第１のＣＣＡ検出閾値は、第１の端末に対応するＣＣＡ検出閾値であり、前記第１の端末は、前記少なくとも１つのスケジュール調整対象端末の中で優先順位が最も高い端末である、又は
前記基地局が、第１のＣＣＡ検出閾値を用いてＣＣＡ検出を行うステップと、該ＣＣＡ検出が成功した後に、前記第１のＣＣＡ検出閾値を前記現在のＣＣＡ検出閾値として決定するステップとを含み、前記第１のＣＣＡ検出閾値は、第１の端末に対応するＣＣＡ検出閾値であり、前記第１の端末は第１の端末グループに属しており、前記第１の端末に対応する前記ＣＣＡ検出閾値は、前記第１の端末グループのＣＣＡ検出閾値範囲内にある、請求項１に記載の方法。
【請求項３】
前記基地局が、前記少なくとも１つのＣＣＡ検出閾値から現在のＣＣＡ検出閾値を決定するステップは、
前記基地局が、ＣＣＡ検出を行うために、前記少なくとも１つのスケジュール調整対象端末の優先順位に基づいて、前記少なくとも１つのＣＣＡ検出閾値から複数の検討対象のＣＣＡ検出閾値を決定するステップと、前記基地局が、前記複数の検討対象のＣＣＡ検出閾値の中で閾値が最も小さい検討対象のＣＣＡ検出閾値を用いて検出を行うことに成功した場合に、前記基地局が、閾値が最も小さい前記検討対象のＣＣＡ検出閾値を前記現在のＣＣＡ検出閾値として決定するステップ、又は
前記基地局が、閾値が最も小さい検討対象のＣＣＡ検出閾値を用いて検出を行うことに失敗し、且つ前記基地局が、閾値が最も小さい前記検討対象のＣＣＡ検出閾値に対応するＮ値がゼロまで減少するのを待つことを決定する場合に、前記基地局が、閾値が最も小さい前記検討対象のＣＣＡ検出閾値を前記現在のＣＣＡ検出閾値として決定するステップ、又は
前記基地局が、閾値が最も小さい検討対象のＣＣＡ検出閾値を用いて検出を行うことに失敗した場合に、前記基地局が、他の検討対象のＣＣＡ検出閾値から、ＣＣＡ検出に成功した検討対象のＣＣＡ検出閾値を前記現在のＣＣＡ検出閾値として決定するステップ、を含む、請求項１に記載の方法。
【請求項４】
基地局が、少なくとも１つのＣＣＡ検出閾値を取得するステップは、
前記基地局が、前記少なくとも１つのスケジュール調整対象端末の変調及び符号化方式（ＭＣＳ）に基づいて、前記少なくとも１つのクリアチャネル評価（ＣＣＡ）検出閾値を取得するステップを含む、請求項１乃至３のいずれか一項に記載の方法。
【請求項５】
前記基地局が、前記少なくとも１つのスケジュール調整対象端末の変調及び符号化方式（ＭＣＳ）に基づいて、前記少なくとも１つのクリアチャネル評価（ＣＣＡ）検出閾値を取得するステップは、
前記基地局が、予め設定された第１の調整ステップ、前記少なくとも１つのスケジュール調整対象端末の前記ＭＣＳ、システム内の最大ＭＣＳ値、及び前記システムに対応するＣＣＡ検出閾値に基づいて、第１のＣＣＡ検出閾値を取得するステップと、
前記基地局が、前記第１のＣＣＡ検出閾値と、前記システムによって許容される最小ＣＣＡ検出閾値及び最大ＣＣＡ検出閾値とに基づいて、前記少なくとも１つのＣＣＡ検出閾値を取得するステップと、を含み、
前記少なくとも１つのスケジュール調整対象端末における各スケジュール調整対象端末のＭＣＳは、チャネル品質指標（ＣＱＩ）を用いて前記基地局によって調整された後の前記スケジュール調整対象端末のＭＣＳ値、又は予め設定された統計学的期間内にエア・インターフェース上で前記スケジュール調整対象端末をスケジューリングするために使用される平均ＭＣＳ値である、請求項４に記載の方法。
【請求項６】
基地局が、少なくとも１つのクリアチャネル評価（ＣＣＡ）検出閾値を取得するステップは、
前記基地局が、前記少なくとも１つのスケジュール調整対象端末により報告される受信信号強度指標（ＲＳＳＩ）を受信するステップと、
前記基地局が、前記ＲＳＳＩに基づいて、各スケジュール調整対象端末のＣＣＡ検出閾値を決定するステップと、を含む、請求項１乃至３のいずれか一項に記載の方法。
【請求項７】
前記基地局が、前記ＲＳＳＩに基づいて、各スケジュール調整対象端末のＣＣＡ検出閾値を決定するステップは、
前記基地局が、前記ＲＳＳＩと基地局側制御値との間の差を計算して第２のＣＣＡ検出閾値を取得するステップと、
前記基地局が、前記第２のＣＣＡ検出閾値と、システムによって許容される最小ＣＣＡ検出閾値及び最大ＣＣＡ検出閾値とに基づいて、前記ＲＳＳＩを報告するスケジュール調整対象端末のＣＣＡ検出閾値を決定するステップと、を含む、請求項６に記載の方法。
【請求項８】
前記基地局が、少なくとも１つのクリアチャネル評価（ＣＣＡ）検出閾値を取得するステップは、
前記基地局が、前記少なくとも１つのスケジュール調整対象端末により報告される信号品質指標（ＣＱＩ）情報を受信するステップと、
前記基地局が、前記ＣＱＩ情報に基づいて、該ＣＱＩ情報を報告するスケジュール調整対象端末のＣＣＡ検出閾値を決定するステップと、を含む、請求項１乃至３のいずれか一項に記載の方法。
【請求項９】
前記基地局が、前記ＣＱＩ情報に基づいて、該ＣＱＩ情報を報告するスケジュール調整対象端末のＣＣＡ検出閾値を決定するステップは、
前記基地局が、予め設定された第２の調整ステップ、前記ＣＱＩ情報、システム内の最大ＣＱＩ値、及び前記システムに対応するＣＣＡ検出閾値に基づいて、第３のＣＣＡ検出閾値を取得するステップと、
前記基地局が、前記第３のＣＣＡ検出閾値と、前記システムによって許容される最小ＣＣＡ検出閾値及び最大ＣＣＡ検出閾値とに基づいて、前記ＣＱＩ情報を報告する前記スケジュール調整対象端末の前記ＣＣＡ検出閾値を決定するステップと、を含む、請求項８に記載の方法。
【請求項１０】
基地局が、少なくとも１つのクリアチャネル評価（ＣＣＡ）検出閾値を取得するステップの前に、当該方法は、
前記基地局が、前記少なくとも１つのスケジュール調整対象端末により送信されるＣＣＡ検出閾値又はＣＣＡ検出閾値レベルを受信するステップであって、前記ＣＣＡ検出閾値は、前記スケジュール調整対象端末によって、第４のＣＣＡ検出閾値と、システムによって許容される最小ＣＣＡ検出閾値及び最大ＣＣＡ検出閾値とに基づいて決定される、受信するステップをさらに含み、
前記第４のＣＣＡ検出閾値は、前記スケジュール調整対象端末によって、信号対干渉プラス雑音比、前記スケジュール調整対象端末に対応する最小の信号対干渉プラス雑音比、及び基地局側制御値に基づいて計算される、又は、前記第４のＣＣＡ検出閾値は、前記スケジュール調整対象端末によって、基準信号測定によって得られる信号強度指標値、雑音電力値、前記スケジュール調整対象端末に対応する最小の信号対干渉プラス雑音比、及び基地局側制御値に基づいて計算される、請求項１乃至３のいずれか一項に記載の方法。
【請求項１１】
メモリ及びプロセッサを含むデータ送信装置であって、前記メモリはプログラム命令を記憶するように構成され、前記プロセッサは、前記メモリ内の前記プログラム命令を呼び出して、以下の方法：
少なくとも１つのクリアチャネル評価（ＣＣＡ）検出閾値を取得することであって、各ＣＣＡ検出閾値は少なくとも１つのスケジュール調整対象端末に対応する、取得することと、
前記少なくとも１つのＣＣＡ検出閾値から現在のＣＣＡ検出閾値を決定することと、
該現在のＣＣＡ検出閾値に基づいて、送信すべきデータの送信電力を決定することと、
該送信電力に基づいて、前記送信すべきデータをターゲット端末に送信することであって、前記ターゲット端末は前記少なくとも１つのスケジュール調整対象端末に属する、送信することと、を行うように構成される、
装置。
【請求項１２】
前記プロセッサは、
過去の統計量又はスループット予測又はその両方に基づいて、第１のＣＣＡ検出閾値を用いてＣＣＡ検出を行い、該ＣＣＡ検出が成功した後に、前記第１のＣＣＡ検出閾値を前記現在のＣＣＡ検出閾値として決定し、前記第１のＣＣＡ検出閾値は、第１の端末に対応するＣＣＡ検出閾値であり、前記第１の端末は、前記少なくとも１つのスケジュール調整対象端末のうちの１つである、又は
第１のＣＣＡ検出閾値を用いてＣＣＡ検出を行い、該ＣＣＡ検出が成功した後に、前記第１のＣＣＡ検出閾値を前記現在のＣＣＡ検出閾値として決定し、前記第１のＣＣＡ検出閾値は、第１の端末に対応するＣＣＡ検出閾値であり、前記第１の端末は、前記少なくとも１つのスケジュール調整対象端末の中で優先順位が最も高い端末である、又は
第１のＣＣＡ検出閾値を用いてＣＣＡ検出を行い、該ＣＣＡ検出が成功した後に、前記第１のＣＣＡ検出閾値を前記現在のＣＣＡ検出閾値として決定し、前記第１のＣＣＡ検出閾値は、第１の端末に対応するＣＣＡ検出閾値であり、前記第１の端末は第１の端末グループに属しており、前記第１の端末に対応する前記ＣＣＡ検出閾値は、前記第１の端末グループのＣＣＡ検出閾値範囲内にある、ように特に構成される、請求項１１に記載の装置。
【請求項１３】
前記プロセッサは、
ＣＣＡ検出を行うために、前記少なくとも１つのスケジュール調整対象端末の優先順位に基づいて、前記少なくとも１つのＣＣＡ検出閾値から複数の検討対象のＣＣＡ検出閾値を決定し、該複数の検討対象のＣＣＡ検出閾値の中で閾値が最も小さい検討対象のＣＣＡ検出閾値を用いて行われた検出が成功した場合に、閾値が最も小さい前記検討対象のＣＣＡ検出閾値を前記現在のＣＣＡ検出閾値として決定し、又は
閾値が最も小さい検討対象のＣＣＡ検出閾値を用いて行われた検出が失敗し、且つ閾値が最も小さい前記検討対象のＣＣＡ検出閾値に対応するＮ値がゼロまで減少するのを待つと決定された場合に、閾値が最も小さい前記検討対象のＣＣＡ検出閾値を前記現在のＣＣＡ検出閾値として決定し、又は
閾値が最も小さい検討対象のＣＣＡ検出閾値を用いて行われた検出が失敗した場合に、他の検討対象のＣＣＡ検出閾値から、ＣＣＡ検出に成功した検討対象のＣＣＡ検出閾値を前記現在のＣＣＡ検出閾値として決定する、ように特に構成される、請求項１１に記載の装置。
【請求項１４】
前記プロセッサは、前記少なくとも１つのスケジュール調整対象端末の変調及び符号化方式（ＭＣＳ）に基づいて、前記少なくとも１つのクリアチャネル評価（ＣＣＡ）検出閾値を取得するように特に構成される、請求項１１乃至１３のいずれか一項に記載の装置。
【請求項１５】
前記プロセッサは、
予め設定された第１の調整ステップ、前記少なくとも１つのスケジュール調整対象端末の前記ＭＣＳ、システム内の最大ＭＣＳ値、及び前記システムに対応するＣＣＡ検出閾値に基づいて、第１のＣＣＡ検出閾値を取得し、及び
前記第１のＣＣＡ検出閾値と、前記システムによって許容される最小ＣＣＡ検出閾値及び最大ＣＣＡ検出閾値とに基づいて、前記少なくとも１つのＣＣＡ検出閾値を取得する、ように特に構成され、
前記少なくとも１つのスケジュール調整対象端末における各スケジュール調整対象端末のＭＣＳは、チャネル品質指標（ＣＱＩ）を用いて基地局によって調整された後の前記スケジュール調整対象端末のＭＣＳ値、又は予め設定された統計学的期間内にエア・インターフェース上で前記スケジュール調整対象端末をスケジューリングするために使用される平均ＭＣＳ値である、請求項１４に記載の装置。
【請求項１６】
前記プロセッサは、前記少なくとも１つのスケジュール調整対象端末により報告される受信信号強度指標（ＲＳＳＩ）を受信し、該ＲＳＳＩに基づいて、各スケジュール調整対象端末のＣＣＡ検出閾値を決定する、ように特に構成される、請求項１１乃至１３のいずれかに一項に記載の装置。
【請求項１７】
前記プロセッサは、
前記ＲＳＳＩと基地局側制御値との間の差を計算して第２のＣＣＡ検出閾値を取得し、
該第２のＣＣＡ検出閾値と、システムによって許容される最小ＣＣＡ検出閾値及び最大ＣＣＡ検出閾値とに基づいて、前記ＲＳＳＩを報告するスケジュール調整対象端末のＣＣＡ検出閾値を決定する、ように特に構成される、請求項１６に記載の装置。
【請求項１８】
前記プロセッサは、
前記少なくとも１つのスケジュール調整対象端末により報告されるチャネル品質指標（ＣＱＩ）情報を受信し、
該ＣＱＩ情報に基づいて、前記ＣＱＩ情報を報告するスケジュール調整対象端末のＣＣＡ検出閾値を決定する、ように特に構成される、請求項１１乃至１３のいずれか一項に記載の装置。
【請求項１９】
前記プロセッサは、
予め設定された第２の調整ステップ、前記ＣＱＩ情報、システム内の最大ＣＱＩ値、及び前記システムに対応するＣＣＡ検出閾値に基づいて、第３のＣＣＡ検出閾値を取得し、
該第３のＣＣＡ検出閾値と、前記システムによって許容される最小ＣＣＡ検出閾値及び最大ＣＣＡ検出閾値とに基づいて、前記ＣＱＩ情報を報告するスケジュール調整対象端末のＣＣＡ検出閾値を決定する、ように特に構成される、請求項１８に記載の装置。
【請求項２０】
前記プロセッサは、前記少なくとも１つのスケジュール調整対象端末により送信されるＣＣＡ検出閾値又はＣＣＡ検出閾値レベルを受信するように特に構成され、
前記ＣＣＡ検出閾値は、前記スケジュール調整対象端末によって、第４のＣＣＡ検出閾値と、システムによって許容される最小ＣＣＡ検出閾値及び最大ＣＣＡ検出閾値とに基づいて決定され、
前記第４のＣＣＡ検出閾値は、前記スケジュール調整対象端末によって、信号対干渉プラス雑音比、前記スケジュール調整対象端末に対応する最小の信号対干渉プラス雑音比、及び基地局側制御値に基づいて計算される、又は、前記第４のＣＣＡ検出閾値は、前記スケジュール調整対象端末によって、基準信号測定によって得られる信号強度指標値、雑音電力値、前記スケジュール調整対象端末に対応する最小の信号対干渉プラス雑音比、及び基地局側制御値に基づいて計算される、請求項１１乃至１３のいずれか一項に記載の装置。
【請求項２１】
コンピュータに請求項１乃至１０のいずれか一項に記載の方法を実行させるプログラム。
【手続補正２】
【補正対象書類名】明細書
【補正対象項目名】００１２
【補正方法】変更
【補正の内容】
【００１２】
オプションで、第１のＣＣＡ検出閾値ＣＣＡＴｎ１＝−８２＋ＳＴＥＰ１＊ＭＣＳｎ／ＭＣＳｍａｘであり、ここで、ＳＴＥＰ１は、予め設定された第１の調整ステップを表し、ＭＣＳｎは、ＣＱＩを用いて基地局によって調整された後のＭＣＳ値を表し、ＭＣＳｍａｘは、システム内の最大ＭＣＳ値を表す、又は
第１のＣＣＡ検出閾値ＣＣＡＴｎ１＝−８２＋ＳＴＥＰ１＊ＭＣＳｍｅａｎ／ＭＣＳｍａｘであり、ここで、ＭＣＳｍｅａｎは、予め設定された統計学的期間内にエア・インターフェース上で端末をスケジューリングするために使用される平均ＭＣＳ値を示す。
【手続補正３】
【補正対象書類名】明細書
【補正対象項目名】００６４
【補正方法】変更
【補正の内容】
【００６４】
オプションで、第１のＣＣＡ検出閾値は、ＣＣＡＴｎ１＝−８２＋ＳＴＥＰ１＊ＭＣＳｎ／ＭＣＳｍａｘであり、ここで、ＳＴＥＰ１は、予め設定された第１の調整ステップを示し、ＭＣＳｎは、ＣＱＩを用いて基地局によって調整された後のＭＣＳ値を示し、ＭＣＳｍａｘは、システム内の最大ＭＣＳ値を示し、ＬＴＥシステムにおけるＭＣＳｍａｘの値は２８であってもよいが、これに限定されるものではない。「−８２」は、システムに対応するＣＣＡ検出閾値をｄＢｍ単位で示す。予め設定された第１の調整ステップＳＴＥＰ１は、基地局側で制御してもよく、予め設定された第１の調整ステップの値域は、［２０ｄＢｍ，４０ｄＢｍ］であってもよい。これは本明細書で限定されるものではない。
【手続補正４】
【補正対象書類名】明細書
【補正対象項目名】００８２
【補正方法】変更
【補正の内容】
【００８２】
また、ＣＣＡ検出閾値＝ｍｉｎ（ｍａｘ（ＣＣＡＴｎ３，ＣＣＡｍｉｎ），ＣＣＡｍａｘ）である。
ＣＣＡｍｉｎは、システムによって許容される最小ＣＣＡ検出閾値を示し、ＣＣＡｍａｘは、システムによって許容される最大ＣＣＡ検出閾値を示す。
【手続補正５】
【補正対象書類名】明細書
【補正対象項目名】００８４
【補正方法】変更
【補正の内容】
【００８４】
特に、基地局が少なくとも１つのＣＣＡ検出閾値を取得する前に、基地局は、少なくとも１つのスケジュール調整対象端末により送信されるＣＣＡ検出閾値又はＣＣＡ検出閾値レベルをさらに受信し得る。ＣＣＡ検出閾値は、スケジュール調整対象端末によって、第４のＣＣＡ検出閾値と、システムによって許容される最小ＣＣＡ検出閾値及び最大ＣＣＡ検出閾値とに基づいて決定され、ＣＣＡ検出閾値は、システムによって許容される最小ＣＣＡ検出閾値以上であり、ＣＣＡ検出閾値は、システムによって許容される最大ＣＣＡ検出閾値以下である。
【手続補正６】
【補正対象書類名】明細書
【補正対象項目名】００９０
【補正方法】変更
【補正の内容】
【００９０】
また、ＣＣＡ検出閾値＝ｍｉｎ（ｍａｘ（ＣＣＡＴｎ４，ＣＣＡｍｉｎ），ＣＣＡｍａｘ）である。
ＣＣＡｍｉｎは、システムによって許容される最小ＣＣＡ検出閾値を示し、ＣＣＡｍａｘは、システムによって許容される最大ＣＣＡ検出閾値を示す。
【手続補正７】
【補正対象書類名】明細書
【補正対象項目名】０１１２
【補正方法】変更
【補正の内容】
【０１１２】
なお、１つＣＣＡ検出閾値のみを用いる場合に、ＣＣＡ検出閾値をそのまま使用してＣＣＡ検出を行い、ＣＣＡ検出に成功した後に、予め設定された線形関係に基づいて送信電力が決定され、送信すべきデータが送信される。複数のＣＣＡ検出閾値が使用され得る場合に、複数のＣＣＡ検出閾値は、ＣＣＡ検出を同時に実行するために使用され得る。
【国際調査報告】
2020500479.tif 000008
2020500479.tif 000009
2020500479.tif 000010
2020500479.tif 000011